(57)【要約】【課題】複数の番組を携帯電話機で閲覧できるようにする。【解決手段】  クレードル２は、携帯電話機３により指示されたテレビジョン放送の番組を録画する。録画された番組は、メタデータ作成サーバ６により作成されたメタデータに基づき、サムネイル画像データとテキストデータに変換される。サムネイル画像データとテキストデータは、時刻情報により関連付けられている。それらのデータは、クレードル２から携帯電話機３に供給される。携帯電話機３は、ユーザからの指示があったときに、サムネイル画像とそのサムネイル画像に対応するテキストを表示部に表示する。ユーザは、表示されたサムネイル画像とテキストを閲覧することにより番組の内容を把握することが可能とされている。本発明は、携帯電話機に適用することが可能である。【選択図】図１
2006253960.tif 000002
【特許請求の範囲】
【請求項１】
動画像と音声とから構成されるデータを管理する管理手段と、
テキストデータと、そのテキストデータに対応する時刻情報を少なくとも含むメタデータを記憶するメタデータ記憶手段と、
前記管理手段で管理されている前記データと、前記メタデータ記憶手段に記憶されているメタデータから静止画像を生成する静止画像生成手段と、
前記静止画像生成手段により生成された前記静止画像と、前記テキストデータを、前記メタデータを参照して関連付ける関連付け手段と、
前記関連付け手段により関連付けられた前記静止画像と前記テキストデータを少なくとも含むデータを他の装置に供給する供給手段と
を備えることを特徴とする情報処理装置。
【請求項２】
動画像と音声とから構成されるデータを管理する管理ステップと、
テキストデータと、そのテキストデータに対応する時刻情報を少なくとも含むメタデータの記憶を制御するメタデータ記憶制御ステップと、
前記管理ステップの処理で管理されている前記データと、前記メタデータ記憶ステップの処理で記憶が制御されたメタデータから静止画像を生成する静止画像生成ステップと、
前記静止画像生成ステップの処理で生成された前記静止画像と、前記テキストデータを、前記メタデータを参照して関連付ける関連付けステップと、
前記関連付けステップの処理で関連付けられた前記静止画像と前記テキストデータを少なくとも含むデータを他の装置に供給するための制御を行う供給制御ステップと
を含むことを特徴とする情報処理方法。
【請求項３】
動画像と音声とから構成されるデータを管理する管理ステップと、
テキストデータと、そのテキストデータに対応する時刻情報を少なくとも含むメタデータの記憶を制御するメタデータ記憶制御ステップと、
前記管理ステップの処理で管理されている前記データと、前記メタデータ記憶ステップの処理で記憶が制御されたメタデータから静止画像を生成する静止画像生成ステップと、
前記静止画像生成ステップの処理で生成された前記静止画像と、前記テキストデータを、前記メタデータを参照して関連付ける関連付けステップと、
前記関連付けステップの処理で関連付けられた前記静止画像と前記テキストデータを少なくとも含むデータを他の装置に供給するための制御を行う供給制御ステップと
を含む処理をコンピュータに実行させることを特徴とするプログラム。
【請求項４】
動画像と音声とから構成されるデータと、テキストデータとそのテキストデータに対応する時刻情報を少なくとも含むメタデータから生成された静止画像データと、その静止画像に関連付けられたテキストデータを少なくとも含むデータを記憶する記憶手段と、
ユーザの操作入力を受け付ける操作入力手段と、
前記操作入力手段により入力された前記ユーザの操作入力に応じて、前記記憶手段に記憶されているデータに基づく前記静止画像または前記テキストのうちの少なくとも一方の表示を制御する表示制御手段と
を備えることを特徴とする情報処理装置。
【請求項５】
携帯可能な装置である
ことを特徴とする請求項４に記載の情報処理装置。
【請求項６】
前記表示制御手段は、表示を制御している前記静止画像または前記テキストを、所定の時間が経過する毎に更新する、または、ユーザの指示がある毎に更新する
ことを特徴とする請求項４に記載の情報処理装置。
【請求項７】
前記表示制御手段は、前記テキストのみを表示させる制御を行い、その制御により表示されているテキストから、ユーザが所定のテキストを選択した場合、その選択されたテキストに対応する静止画像に表示を切り替える制御を行う
ことを特徴とする請求項４に記載の情報処理装置。
【請求項８】
前記静止画像データは、その静止画像データに関連付けられている前記テキストデータが示すテキストがファイル名として設定されている
ことを特徴とする請求項４に記載の情報処理装置。
【請求項９】
前記表示制御手段は、前記ファイル名のみを表示させる制御を行い、その制御により表示されているファイル名から、ユーザが所定のファイル名を選択した場合、その選択されたファイル名が設定されている静止画像に表示を切り替える制御を行う
ことを特徴とする請求項８に記載の情報処理装置。
【請求項１０】
動画像と音声とから構成されるデータと、テキストデータとそのテキストデータに対応する時刻情報を少なくとも含むメタデータから生成された静止画像データと、その静止画像に関連付けられたテキストデータを少なくとも含むデータの記憶を制御する記憶制御ステップと、
ユーザの操作入力を受け付ける操作入力ステップと、
前記操作入力ステップの処理で入力された前記ユーザの操作入力に応じて、前記記憶ステップの処理で記憶が制御されたデータに基づく前記静止画像または前記テキストのうちの少なくとも一方の表示を制御する表示制御ステップと
を含むことを特徴とする情報処理方法。
【請求項１１】
動画像と音声とから構成されるデータと、テキストデータとそのテキストデータに対応する時刻情報を少なくとも含むメタデータから生成された静止画像データと、その静止画像に関連付けられたテキストデータを少なくとも含むデータの記憶を制御する記憶制御ステップと、
ユーザの操作入力を受け付ける操作入力ステップと、
前記操作入力ステップの処理で入力された前記ユーザの操作入力に応じて、前記記憶ステップの処理で記憶が制御されたデータに基づく前記静止画像または前記テキストのうちの少なくとも一方の表示を制御する表示制御ステップと
を含む処理をコンピュータに実行させることを特徴とするプログラム。
【発明の詳細な説明】
【技術分野】
【０００１】
本発明は、情報処理装置および方法、プログラムに関し、特に、放送信号に含まれている字幕情報を用いて、テレビジョン放送の複数の番組を、携帯可能な装置で持ち運び、その装置で閲覧する際に適用して好適な情報処理装置および方法、プログラムに関する。
【背景技術】
【０００２】
テレビジョン放送として放送される番組のデータには、映像データと音声データが含まれている。また、放送される番組データには、映像データとして含まれているため、ユーザ側で表示の可否を選択できない字幕（番組の題名やキャストなどの紹介、または、海外の作品における日本語字幕）が含まれている場合がある。また、放送される番組データには、表示させるか否かをユーザ側で選択可能な字幕データが含まれている場合がある。このような選択可能な字幕データは、一般にクローズドキャプション（closed caption）と称され、主に、聴覚障害者用に開発され、海外の作品における日本語字幕のように、出演者の会話だけではなく、例えば、ＢＧＭや効果音などの説明も含まれる。
【０００３】
例えば、NTSC（National Television System Standard Committee）方式のアナログの地上波放送では、映像信号に525本の走査線が用いられており、この525本のうち、各フィールド(２フィールドで１フレームを構成)の最初の２１本相当は、VBI（Vertical Blanking Interval：垂直帰線消去期間）と称される、走査を開始するためのインターバル用に割り当てられている。クローズドキャプションは、各フィールドのVBIのうち、VBIの２１本目に７ｂitの文字コードを多重化することによって伝送される。そして、各フィールドを使って２種類の文字セットを毎秒約60文字が伝送されている。
【０００４】
また、デジタルテレビ放送の字幕情報の伝送については、国内規定であるＢＳデジタル放送運用規定・技術資料（ＡＲＩＢ ＴＲ−Ｂ１５）で規定されているように、字幕情報用のトランスポートストリームを使って映像情報の伝送と同時に字幕情報を伝送できるように構成されている。そして、デジタルテレビ放送用受信機において、字幕情報に対応する符号がデコードされ、字幕を構成する文字、図形が生成されて、映像に重畳されて表示される。
【０００５】
デジタルテレビ放送において、字幕情報用のトランスポートストリームを使って映像情報の伝送と同時に伝送されたテキスト情報を、内部に保存したり、内部に保存したテキスト情報をテレビモニタでいつでも表示閲覧したりすることができるようにすることにより、ユーザが、表示された字幕のメモを取らなくても、字幕の情報を活用することができるようにした技術がある（例えば、特許文献１）。
【０００６】
【特許文献１】特開２００３−７８８８９号公報
【０００７】
テレビジョン放送は、近年、例えば、携帯電話やＰＤＡ（Personal Digital Assistance）などのユーザが携帯可能な端末でも閲覧することができるようになってきている。また、家庭内の録画装置で録画された番組を、携帯可能な装置に装着する記録媒体に記録し、その記録媒体から、記録された番組を再生するといったようなことも行われている。
【発明の開示】
【発明が解決しようとする課題】
【０００８】
上述したように、放送される字幕データは、さまざまなサービスに利用され始めている。また、テレビジョン放送自体も、さまざまな装置で受信され、その受信された番組が閲覧できるような仕組みも設けられている。
【０００９】
しかしながら、クローズドキャプションなどの放送される字幕データを、映像と同時に表示させる以外の利用方法で映像と関連付けて利用しようとした場合、字幕データと映像データまたは音声データとには、アナログ放送またはデジタル放送のいずれにおいても、両者を対応させるようなタイムスタンプが付加されていないため、映像データからクローズドキャプションに対応するテキストデータを分離してしまった後、分離されたテキストと映像データとの対応をとることは不可能であり、したがって、クローズドキャプションから取得されるテキストを映像と同時に表示させる以外の利用方法で容易に映像と関連付けて利用することはできなかった。
【００１０】
また、クローズドキャプションなど、聴覚障害者向けの字幕データは全ての放送信号に添付させることが求められている。しかしながら、このような字幕データは、通常、健常者には必要ではないため、字幕データ作成に必要な費用を捻出するためにスポンサーがつく可能性はほぼなく、作成にかかる費用を放送局が負担しているのが現状である。
【００１１】
ここで、これらの字幕データを２次的に利用することにより、字幕データ作成に対する放送局への対価を回収することが可能なシステムが構築されることは、産業の発展に貢献可能であるのみならず、字幕データが放送信号に添付される割合を向上することにつながるため、聴覚障害者にとっても有益である。
【００１２】
また、テレビジョン放送は、さまざまな装置で受信され、そのテレビジョン放送で放送された番組は、所定の記録媒体に記録され携帯可能な装置で閲覧されるなどされているが、その番組を記録する記録媒体の容量には限度がある。また、携帯可能な装置に装着可能（内蔵可能）な記録媒体という条件が付加されると、さらに、利用できる記録媒体の容量は限定されてしまう。
【００１３】
そのため、携帯可能な装置で番組を閲覧すると、短い時間の番組しか閲覧できない（番組の一部分しか閲覧できない）、長い時間分の番組を記録するために圧縮率を高くすると、映像が荒くなり画質が低下してしまうといった問題があった。そのために普及しないといった問題もあった。そこで、携帯可能な装置でも長時間の番組や複数の番組を閲覧でき、かつ、画質が低下してしまうようなことを防ぎながら閲覧できる機能が望まれている。
【００１４】
本発明はこのような状況に鑑みてなされたものであり、携帯可能な装置においても、複数の番組や、長時間の番組を閲覧できるようにすることを目的とする。
【課題を解決するための手段】
【００１５】
本発明の第１の情報処理装置は、動画像と音声とから構成されるデータを管理する管理手段と、テキストデータと、そのテキストデータに対応する時刻情報を少なくとも含むメタデータを記憶するメタデータ記憶手段と、管理手段で管理されているデータと、メタデータ記憶手段に記憶されているメタデータから静止画像を生成する静止画像生成手段と、静止画像生成手段により生成された静止画像と、テキストデータを、メタデータを参照して関連付ける関連付け手段と、関連付け手段により関連付けられた静止画像とテキストデータを少なくとも含むデータを他の装置に供給する供給手段とを備えることを特徴とする。
【００１６】
本発明の第１の情報処理方法は、動画像と音声とから構成されるデータを管理する管理ステップと、テキストデータと、そのテキストデータに対応する時刻情報を少なくとも含むメタデータの記憶を制御するメタデータ記憶制御ステップと、管理ステップの処理で管理されているデータと、メタデータ記憶ステップの処理で記憶が制御されたメタデータから静止画像を生成する静止画像生成ステップと、静止画像生成ステップの処理で生成された静止画像と、テキストデータを、メタデータを参照して関連付ける関連付けステップと、関連付けステップの処理で関連付けられた静止画像とテキストデータを少なくとも含むデータを他の装置に供給するための制御を行う供給制御ステップとを含むことを特徴とする。
【００１７】
本発明の第１のプログラムは、動画像と音声とから構成されるデータを管理する管理ステップと、テキストデータと、そのテキストデータに対応する時刻情報を少なくとも含むメタデータの記憶を制御するメタデータ記憶制御ステップと、管理ステップの処理で管理されているデータと、メタデータ記憶ステップの処理で記憶が制御されたメタデータから静止画像を生成する静止画像生成ステップと、静止画像生成ステップの処理で生成された静止画像と、テキストデータを、メタデータを参照して関連付ける関連付けステップと、関連付けステップの処理で関連付けられた静止画像とテキストデータを少なくとも含むデータを他の装置に供給するための制御を行う供給制御ステップとを含む処理をコンピュータに実行させることを特徴とする。
【００１８】
本発明の第２の情報処理装置は、動画像と音声とから構成されるデータと、テキストデータとそのテキストデータに対応する時刻情報を少なくとも含むメタデータから生成された静止画像データと、その静止画像に関連付けられたテキストデータを少なくとも含むデータを記憶する記憶手段と、ユーザの操作入力を受け付ける操作入力手段と、操作入力手段により入力されたユーザの操作入力に応じて、記憶手段に記憶されているデータに基づく静止画像またはテキストのうちの少なくとも一方の表示を制御する表示制御手段とを備えることを特徴とする。
【００１９】
前記第２の情報処理装置は、携帯可能な装置にすることができる。
【００２０】
前記表示制御手段は、表示を制御している静止画像またはテキストを、所定の時間が経過する毎に更新する、または、ユーザの指示がある毎に更新するようにすることができる。
【００２１】
前記表示制御手段は、テキストのみを表示させる制御を行い、その制御により表示されているテキストから、ユーザが所定のテキストを選択した場合、その選択されたテキストに対応する静止画像に表示を切り替える制御を行うようにすることができる。
【００２２】
静止画像データは、その静止画像データに関連付けられているテキストデータが示すテキストがファイル名として設定されているようにすることができる。
【００２３】
前記表示制御手段は、ファイル名のみを表示させる制御を行い、その制御により表示されているファイル名から、ユーザが所定のファイル名を選択した場合、その選択されたファイル名が設定されている静止画像に表示を切り替える制御を行うようにすることができる。
【００２４】
本発明の第２の情報処理方法は、動画像と音声とから構成されるデータと、テキストデータとそのテキストデータに対応する時刻情報を少なくとも含むメタデータから生成された静止画像データと、その静止画像に関連付けられたテキストデータを少なくとも含むデータの記憶を制御する記憶制御ステップと、ユーザの操作入力を受け付ける操作入力ステップと、操作入力ステップの処理で入力されたユーザの操作入力に応じて、記憶ステップの処理で記憶が制御されたデータに基づく静止画像またはテキストのうちの少なくとも一方の表示を制御する表示制御ステップとを含むことを特徴とする。
【００２５】
本発明の第２のプログラムは、動画像と音声とから構成されるデータと、テキストデータとそのテキストデータに対応する時刻情報を少なくとも含むメタデータから生成された静止画像データと、その静止画像に関連付けられたテキストデータを少なくとも含むデータの記憶を制御する記憶制御ステップと、ユーザの操作入力を受け付ける操作入力ステップと、操作入力ステップの処理で入力されたユーザの操作入力に応じて、記憶ステップの処理で記憶が制御されたデータに基づく静止画像またはテキストのうちの少なくとも一方の表示を制御する表示制御ステップとを含む処理をコンピュータに実行させることを特徴とする。
【００２６】
本発明の第１の情報処理装置および方法、並びにプログラムにおいては、動画像と音声とから構成されるデータと、テキストデータと、そのテキストデータに対応する時刻情報を少なくとも含むメタデータを参照されて静止画像が生成され、その静止画像が、テキストデータと関連付けられる。
【００２７】
本発明の第２の情報処理装置および方法、並びにプログラムにおいては、動画像と音声とから構成されるデータと、テキストデータとそのテキストデータに対応する時刻情報を少なくとも含むメタデータから生成された静止画像データと、その静止画像に関連付けられたテキストデータを少なくとも含むデータに基づく表示が行われる。
【発明の効果】
【００２８】
本発明によれば、動画と音声とからなるデータを、静止画とテキストからなるデータに変換することが可能となる。
【００２９】
本発明によれば、例えば、テレビジョン放送の複数の番組のデータや長時間の番組のデータを、小さい容量の記録媒体に記録することが可能となる。小さい容量の記録媒体に記録させることにより、携帯可能な装置にその記録媒体を装着（内蔵）することが可能となる。さらに、携帯可能な装置に装着された記録媒体から番組を再生することが可能となる。
【００３０】
本発明によれば、動画像と音声とから構成されるデータを、静止画像とテキストから構成されるデータに圧縮することができる。また、その圧縮されたデータを所定の記録媒体に記録し、その記録されたデータを用いることにより、携帯可能な装置で、例えば、動画像と音声とから構成されていた番組の内容を、ユーザにつたえることが可能となる。
【発明を実施するための最良の形態】
【００３１】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３２】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加されたりする発明の存在を否定するものではない。
【００３３】
本発明の第１の情報処理装置は、例えば、図４のクレードル２である。第１の情報処理装置は、動画像と音声とから構成されるデータを管理する管理手段（例えば、図４の録画データ記憶部５７）と、テキストデータと、そのテキストデータに対応する時刻情報を少なくとも含むメタデータを記憶するメタデータ記憶手段（例えば、図４のメタデータ記憶部６７）と、管理手段で管理されているデータと、メタデータ記憶手段に記憶されているメタデータから静止画像を生成する静止画像生成手段（例えば、図４のサムネイル生成部６８）と、静止画像生成手段により生成された静止画像と、テキストデータを、メタデータを参照して関連付ける関連付け手段（例えば、図４の作成データ記憶部６９）と、関連付け手段により関連付けられた静止画像とテキストデータを少なくとも含むデータを他の装置に供給する供給手段（例えば、図４の出力データ制御部７０）とを備える。
【００３４】
本発明の第２の情報処理装置は、例えば、図８の携帯電話機３である。第２の情報処理装置は、動画像と音声とから構成されるデータと、テキストデータとそのテキストデータに対応する時刻情報を少なくとも含むメタデータから生成された静止画像データと、その静止画像に関連付けられたテキストデータを少なくとも含むデータを記憶する記憶手段（例えば、図８の作成データ記憶部１０１）と、ユーザの操作入力を受け付ける操作入力手段（例えば、図８の操作部１０５）と、操作入力手段により入力されたユーザの操作入力に応じて、記憶手段に記憶されているデータに基づく静止画像またはテキストのうちの少なくとも一方の表示を制御する表示制御手段（例えば、図８の表示選択字幕データデコーダ１０３）とを備える。
【００３５】
以下に、本発明の実施の形態について図面を参照して説明する。
【００３６】
［システム構成］
図１は、本発明を適用した情報処理システムの構成について説明するためのシステム図である。
【００３７】
放送局１は、地上波、または、衛星波などを用いて、番組を放送する。放送される番組のデータには、映像データと音声データが含まれる。また、番組データには、映像データとして含まれているため、ユーザ側で表示の可否を選択できない字幕（番組の題名やキャストなどの紹介、または、海外の作品における日本語字幕）が含まれている場合がある。また、放送される番組データには、表示させるか否かをユーザ側で選択可能な字幕データが含まれている場合がある。このような選択可能な字幕データ（いわゆる、クローズドキャプション）には、海外の作品における日本語字幕のような出演者の会話に対応するテキストデータのみならず、例えば、ＢＧＭや効果音などの説明も含まれていてもよい。
【００３８】
例えば、NTSC方式のアナログの地上波放送では、映像信号に525本の走査線が用いられており、この525本のうち、各フィールド(２フィールドで１フレームを構成)の最初の２１本相当は、VBI（Vertical Blanking Interval：垂直帰線消去期間）と称される、走査を開始するためのインターバル用に割り当てられている。クローズドキャプションは、各フィールドのVBIのうち、VBIの２１本目に７ｂitの文字コードを多重化することによって伝送され、各フィールドを使って２種類の文字セットを毎秒約60文字伝送することができるように構成されている。以下、クローズドキャプションに代表される、表示と非表示をユーザ側で選択可能な字幕データを、表示選択字幕データと称する。
【００３９】
映像データ、音声データ、表示選択字幕データの具体的な例について、図２を用いて説明する。
【００４０】
映像データ１５は、動画像データであり、図２においては、動画像データ中の、いくつかのタイミングにおけるフレーム画像データを抽出して図示している。音声データ１６は、映像データ１５と同時再生されるべき音声データである。表示選択字幕データ１７は、例えば、音声データ１６に対応するテキストデータであってもかまわないし、音声データに対応するテキストデータ以外の、音声データが会話である場合に、発話者を説明するためのテキストデータなどが含まれるようにしても良い。映像データ１５と音声データ１６は、例えば、それぞれ対応するようなリンク情報を有しているか、相対時刻のタイムスタンプを有することにより、例えば、放送時にリアルタイムで視聴される以外に、録画されて再生された場合においても時間軸がずれてしまうことがないようになされている。これに対して、表示選択字幕データ１７は、再生時にデコードされるまで、映像データと同一に扱われることしか想定されていないため、映像データ１５または音声データ１６に対するリンクデータや、相対時刻のタイムスタンプなどを有していない。
【００４１】
再び、図１の説明に戻る。
【００４２】
ユーザは、クレードル２を用いて、図２を用いて説明した表示選択字幕データ１７を含む映像データ１５、および、音声データ１６で構成される放送信号を受信する。クレードル２は、携帯電話機３が装着され、携帯電話機３が装着されたときには、その携帯電話機３に対して、電力を供給したり（充電の処理を実行したり）、記録しているデータを供給したりする機能を有する。
【００４３】
本実施の形態においてクレードル２は、ユーザの操作入力に基づいて、表示選択字幕デコーダ（後述）により生成されるサムネイル画像やテキストを表示する機能を有する。サムネイル画像やテキスト（以下、適宜、作成データまたはサムネイルデータファイルと記述する）は、クレードル２に記憶され、供給される。
【００４４】
クレードル２は、上記したように、所定の番組の録画を行うが、録画する番組の情報は、携帯電話機３から、直接的に、例えば、赤外線などが用いられて行われるか、または、電話網４を介して、間接的に行われる。携帯電話機３は、ユーザにより録画が指示された番組の情報を、間接的にクレードル２に対して出力する場合、まず、電話網４を介して基地局８に、その情報を出力し、記憶させる。クレードル２は、基地局８に記憶されている情報を電話網４を介して取得することにより、録画に関する情報を設定する。
【００４５】
そして、クレードル２は、設定された情報に基づいて、所定の番組の録画を行う（詳細は後述する）。
【００４６】
メタデータ作成サーバ６は、インターネット５を介して、または、所定の媒体を介して、もしくは、図示しないアンテナより受信することにより、放送局１が作成した表示選択字幕データつきの放送信号を取得し、それを基に、メタデータを作成して、作成したメタデータを暗号化する。また、メタデータ作成サーバ６は、暗号化されたメタデータを、インターネット５を介してユーザに配布するためのウェブページをインターネット５に公開し、例えば、クレードル２や、図示しないパーソナルコンピュータ、携帯電話機３、または、ＰＤＡなどを用いたユーザからのアクセスを受け、ユーザが所望した番組の検索に利用される暗号化されたメタデータを、インターネット５を介してダウンロードさせる。
【００４７】
なお、メタデータのユーザへの配布方法は、ウェブページをインターネット５に公開する以外にも、例えば、ホストコンピュータを中心に、複数の情報処理装置を電話回線で接続し、データ通信を行う、いわゆる、パソコン通信や、その他、専用線を介した通信や、リムーバブルな記録媒体を介したデータの配布など、いかなる媒体を介するものであっても良い。
【００４８】
認証サーバ７は、メタデータ作成サーバ６が作成し暗号化してユーザに配布したメタデータを復号するための復号鍵を、インターネット５を介してユーザに配布するためのウェブページをインターネット５に公開し、例えば、クレードル２や、図示しないパーソナルコンピュータ、携帯型電話機、または、ＰＤＡなどを用いたユーザからのアクセスを受け、ユーザが所望したメタデータの復号鍵に対する対価の決済を行ったうえで、ユーザに復号鍵を配布する。また、認証サーバ７は、表示選択字幕データを作成した放送局１に対する対価を放送局１に対して支払うための課金処理を実行する。
【００４９】
なお、復号鍵のユーザへの配布方法も、ウェブページをインターネット５に公開する以外にも、例えば、ホストコンピュータを中心に、複数の情報処理装置を電話回線で接続し、データ通信を行う、いわゆる、パソコン通信や、その他、専用線を介した通信や、リムーバブルな記録媒体を介したデータの配布など、いかなる媒体を介するものであっても良い。
【００５０】
［クレードルと携帯電話の外観の構成について］
図３Ａと図３Ｂは、クレードル２と携帯電話機３の外観構成を示す図である。図３Ａは、クレードル２に記録された作成データを、携帯電話機３に内蔵された記録部（例えば、後述する図８の作成データ記憶部１０１）に記録する場合を図示している。クレードル２には、所定の位置に端子（不図示）が設けられている。携帯電話機３側にも、クレードル２の端子と相対する位置に端子が設けられている。それらの端子は、携帯電話機３がクレードル２に装着された（設置）されたときに、接触するように構成されている。
【００５１】
クレードル２の端子と携帯電話機３の端子が接触した状態のとき、携帯電話機３からの指示により（ユーザの指示により）、クレードル２に記憶されている作成データが、携帯電話機３の記憶部に供給され、記憶される。
【００５２】
図３Ｂは、クレードル２に記録された作成データを、クレードル２に対して着脱自在の所定の記録媒体３１に記録し、その記録媒体３１が、携帯電話機３に装着されることにより、作成データがクレードル２から携帯電話機３に移動される場合を図示している。このような場合、クレードル２には、記録媒体３１が着脱自在に装着されるスロット２１が設けられた構成とされる。また、図示はしないが、携帯電話機３側にも、記録媒体３１が着雑自在に装着されるスロットが設けられた構成とされている。
【００５３】
携帯電話機３に記録媒体３１が装着された状態で、図３Ａに示したようにクレードル２に装着されたときに、クレードル２に記録されている作成データが、携帯電話機３に装着されている記録媒体３１に対して供給される仕組みを設けることも勿論可能である。また、図３Ａに示したようにして作成データが移動される仕組みと、図３Ｂに示したようにして作成データが移動される仕組みの両方を設けることも可能である。
【００５４】
いずれにしても、本実施の形態においては、サムネイル画像とテキストデータから構成される作成データは、クレードル２側で作成され、記憶される。そして、クレードル２に記憶された作成データが、携帯電話機３に供給され、記憶される。
【００５５】
このように、作成データを作成し、記憶し、携帯電話機３に供給するクレードル２の構成について、図４を参照して説明する。ここで、以下に説明するような構成を有するクレードル２が行う処理を簡便に記載するならば、動画像と音声から構成されるデータを、静止画像（サムネイル画像）とテキストから構成されるデータに圧縮する処理を行い、その圧縮されたデータを携帯電話機３に供給する処理である。
【００５６】
［クレードルの内部構成例］
図４は、クレードル２の内部構成例を示す図である。クレードル２には、テレビジョン放送を受信するアンテナと接続される接続端子５１が設けられている。この接続端子５１を介して供給される放送信号は、チューナ５２に供給される。チューナ５２により選局された放送信号のうち、表示選択字幕データを含む映像信号は、映像信号デコーダ５３に供給される。
【００５７】
映像信号デコーダ５３は、供給された映像信号をデコードし、デコードされた映像データをメモリ５４に供給する。メモリ５４は、供給された映像信号を一時保持するフレームメモリである。メモリ５４に保持された映像データは、必要に応じ録画データ生成部５５に供給される。
【００５８】
録画データ生成部５５は、録画制御部５６の指示により、メモリ５４に保持されている映像データを読み出し、録画データ記憶部５７に記憶させて管理させる録画データを生成する。録画制御部５６は、操作入力部５８により入力されたユーザの操作に基づいて、供給された映像データを録画データ記憶部５７に出力して録画させることが指令された場合、録画データ生成部５５は、番組ＩＤ情報抽出部６１に、メモリ５４に保持されている映像データから番組管理情報に含まれる番組ＩＤを抽出させるように制御する。
【００５９】
番組ＩＤ情報抽出部６１は、映像信号デコーダ５３によりデコードされた映像データに含まれる番組管理情報から、番組（ここでも、「番組」とは、例えば、２時間ドラマなどのプログラムの全体であっても、１つのプログラムがコマーシャルなどで区切られている場合の区切られた１単位ごとでも、複数のプログラムを含むものであっても、更に、コマーシャルを含むものやコマーシャルのみを示すものであっても良い）を固有に区別可能な番組ＩＤ情報を抽出し、録画データ生成部５５に供給する。
【００６０】
なお、映像データに番組管理情報が含まれていない場合、番組ＩＤ情報抽出部６１は、
録画データ生成部５５を介して、タイマ６２から時刻情報を取得し、取得した時刻情報から、番組ＩＤ情報を生成することができるようにしても良い。
【００６１】
録画データ生成部５５は、タイマ６２を参照して、録画が開始された時刻（絶対時刻）を取得し、メモリ５４から供給される映像データに取得した時刻情報である録画開始時刻情報を対応付けるとともに、映像データに対して、番組ＩＤ情報抽出部６１から供給された番組ＩＤを対応付けて、録画される出力データを生成する。この録画開始時刻情報は、後述するサムネイル画面表示において用いられる。
【００６２】
録画される出力データについて、図５を用いて説明する。録画データ生成部５５において、録画される出力データのうち、映像データ１５に録画開始時刻情報９５が対応付けられる。そして、映像データ１５には、表示選択字幕データ１７が含まれている。そして、これらのデータに番組ＩＤ情報が関連付けられて、録画用の出力データが生成される。
【００６３】
図４に戻って、クレードル２の構成について説明を続ける。
【００６４】
操作入力部５８は、ユーザの操作入力を受ける部分である。操作入力部５８は、電話網４（図１）を介して、他の装置（例えば、基地局８（図１））から録画に関するデータを取得する電話網用入力部５９を備える。また、操作入力部５８は、携帯電話機３から赤外線を用いた無線通信により、録画に関するデータを取得する赤外線用入力部６０を備える構成とされている。
【００６５】
録画データ記憶部５７は、録画データ生成部５５により生成され、番組ＩＤと録画開始時刻情報が対応付けられた映像データを記憶する。録画データ記憶部５７は、例えば、ハードディスクなどの大容量記録媒体により構成されるようにしても、ＤＶＤ（Digital Versatile Disc）やビデオテープなどのリムーバブルな記録媒体に構成されるようにしても良い。
【００６６】
ネットワークインターフェース６３は、インターネット５に公開されているウェブページの情報を取得するために設けられている。ネットワークインターフェース６３は、例えば、メタデータ作成サーバ６（図１）から、メタデータをダウンロードして、暗号化メタデータ記憶部６４に出力して記憶させたり、認証サーバ７（図１）から取得した復号鍵を、復号鍵記憶部６５に出力して記憶させたりする。また、ネットワークインターフェース６３は、ユーザが保有する図示しないパーソナルコンピュータやＰＤＡなどを用いて取得された、暗号化されたメタデータや復号鍵などを、有線または無線を介した通信により、図示しないパーソナルコンピュータやＰＤＡから受信することも可能である。
【００６７】
暗号化メタデータ記憶部６４は、取得された暗号化されたメタデータを記憶する。復号鍵記憶部６５は、取得された復号鍵を記憶する。復号処理部６６は、暗号化メタデータ記憶部６４に記憶されている暗号化されたメタデータを、復号鍵記憶部６５に記憶されている復号鍵を用いて復号し、メタデータ記憶部６７に出力して記憶させる。メタデータ記憶部６７は、復号されたメタデータの供給を受け、これを記憶する。
【００６８】
サムネイル生成部６８は、メタデータ記憶部６７に記憶されているメタデータを参照して、録画データ記憶部５７に記憶されている録画データから、映像信号のうちの１フレームの画像データであるサムネイル画像データとサムネイル画像データに対応するテキストデータとにより構成されるサムネイルデータを複数生成し、番組ＩＤで区別される１つの番組分のサムネイルデータより生成されたサムネイルデータファイル（作成データ）を、作成データ記憶部６９に記憶させる。
【００６９】
作成データ記憶部６９に作成データが記憶される際、その記憶される作成データに含まれるサムネイル画像データのファイル名を、そのサムネイル画像データに対応するテキストデータが示すテキストとするようにしても良い。すなわち、サムネイル画像のファイル名を、対応するテキストとして設定されるようにしても良い。
【００７０】
作成データ記憶部６９に記憶された作成データは、出力データ制御部７０の制御に基づき、携帯電話機３に対して供給される。図３Ａまたは図３Ｂを参照して説明したように、作成データは、クレードル２と携帯電話機３との間で直接的に供給される（図３Ａの場合）か、クレードル２と携帯電話機３との間で間接的に供給される（図３Ｂの場合）。直接的に作成データが、クレードル２から携帯電話機３に供給される場合、出力データ制御部７０は、クレードル２に設けられている端子を含む構成とされ、その端子からの出力を制御することにより、作成データ記憶部６９に記憶されている作成データを読み出し、携帯電話機３に供給する。
【００７１】
または、直接的に作成データがクレードル２から携帯電話機３に供給される場合、作成データ記憶部６９をクレードル２側に設けるのではなく、携帯電話機３側に設けられているようにしても良い。すなわち、図６に示すように、携帯電話機３に作成データ記憶部１０１を設け、その作成データ記憶部１０１に対して、出力データ制御部７０は、作成データを供給する。図６に示したようにクレードル２を構成した場合、クレードル２に携帯電話機３が装着された状態のときに、クレードル２側で作成データが作成され、携帯電話機３側に供給される。
【００７２】
間接的に作成データがクレードル２から携帯電話機３に供給される場合、クレードル２は、図３Ｂを参照して説明したように、スロット２１が設けられた構成とされる。また、このような場合、クレードル２は、図７に示したような構成とされる。
【００７３】
スロット２１には、記録媒体３１と物理的に接触する部分（端子）が設けられており、出力データ制御部８０は、その端子を含む構成とされ、その端子からの出力を制御することにより、作成データ記憶部６９の代わりとしての記録媒体３１に作成された作成データを供給する。すなわち、このような構成とされたときには、クレードル２に記録媒体３１が装着された状態のときに、クレードル２側で作成データが作成され、記録媒体３１側に供給される。
【００７４】
ここでは、クレードル２は、図４乃至図７に示したいずれかの構成を有するとして説明を続けるが、例えば、図７に示したように、外部の記録媒体３１に作成データを記録するような場合でも、一旦、クレードル２内で作成データを記録する部分を有するような構成、すなわち、図４に示した構成としても勿論良い。クレードル２が図４に示したような構成を有するときは、作成データ記憶部６９に記憶されている作成データが、記録媒体３１が装着された状態のときや携帯電話３が装着された状態のときに読み出され、供給される。
【００７５】
［携帯電話機の構成］
図８は、携帯電話機３の内部構成例を示す図である。図８に示した携帯電話機３は、図３Ａを参照して説明した、直接的にクレードル２から携帯電話機３に作成データが供給される場合で、クレードル２が図４または図６に示したような内部構成を有するときに対応するものである。
【００７６】
なお、図８に示した携帯電話機３の内部構成例では、携帯電話機３が通常有する機能に関する構成は、本発明を説明するうえで直接的に必要がないため、説明の都合上、図示および説明を適宜省略してある。携帯電話機３が通常有する機能とは、例えば、他の携帯電話機と電話網４（図１）を介して通信する機能や、電子メールなどを送受信する機能などである。しかしながら、それらの通常備えられている機能を利用し、以下に説明する処理を実行するようにする実施の形態も、本発明の適用範囲内である。
【００７７】
携帯電話機３は、作成データを記憶する作成データ記憶部１０１を備える構成とされている。この作成データ記憶部１０１は、携帯電話３に内蔵されており、クレードル２に装着された状態のときに、そのクレードル２から、入力データ制御部１０２の制御に基づき供給された作成データが記憶される。
【００７８】
作成データ記憶部１０１に記憶された作成データは、ユーザからの指示に応じて、表示選択字幕データデコーダ１０３に読み出される。表示選択字幕デコーダ１０３は、作成データに含まれるサムネイル画像やテキストデータを、所定のタイミングで、表示部１０４に表示させる。表示部１０４は、例えば、ＬＣＤ（Liquid Crystal Display）などにより構成される。
【００７９】
表示選択字幕データデコーダ１０３は、操作部１０５を介して入力されるユーザからの指示により、作成データ記憶部１０１に記憶されている作成データを読み出す。操作部１０５は、携帯電話機３に通常備えられている複数の押下式のボタン（例えば、電話番号を入力するためのボタンなど）や、回転式のボタンなどから構成されている。
【００８０】
操作部１０５を介して入力されるユーザからの指示は、必要に応じ、入出力部１０６に供給される。入出力部１０６は、電話網用入出力部１０７と赤外線用入出力部１０８とを含む構成とされている。電話網用入出力部１０７は、電話網４（図１）を介して、例えば、基地局８に対して何らかの情報を送信する、または、何らかの情報を受信する際の処理を制御する。赤外線用入出力部１０８は、クレードル２（例えば、図４）に対して、赤外線を用いた通信により情報を送信する際の処理を制御する。
【００８１】
録画指示部１０９は、クレードル２に対してテレビジョン放送の番組の録画を指示（作成データを作成する番組を指示）するために設けられている。例えば、録画指示部１０９は、入出力部１０６により取得されたＥＰＧ（Electric Program Guide）を表示部１０４に表示させる。そしてそのＥＰＧをユーザが閲覧し、操作部１０５を操作して、録画するとして選択した番組のデータを、録画指示部１０９は、赤外線用入出力部１０８からクレードル２に対して送信させるといった処理を行う構成とされている。
【００８２】
図９は、図３Ｂを参照して説明した、間接的にクレードル２から携帯電話機３に作成データが供給される場合で、クレードル２が図４または図７に示したような内部構成を有するときに対応する携帯電話機３の内部構成例を示す図である。
【００８３】
間接的に作成データがクレードル２から携帯電話機３に供給される場合、携帯電話機３は、図３Ｂを参照して説明したように、記録媒体３１が装着されるスロット（不図示）が設けられた構成とされる。そのスロットには、記録媒体３１と物理的に接触する部分（端子）が設けられており、入力データ制御部１２１は、その端子を含む構成とされ、その端子からの入力を制御することにより、記録媒体３１に記憶されている作成データを読み出し、表示選択字幕データデコーダ１０３に供給する構成とされる。その他の部分に関しては、図８に示した構成と同様であるので、その説明は省略する。
【００８４】
以下の説明においては、図３Ａを参照して説明したように、クレードル２から携帯電話機３に直接的に作成データが供給され、クレードル２は図４に示したような構成を有し、携帯電話機３は図８に示したような構成を有する場合を例に挙げて説明する。なお、クレードル２や携帯電話機３が他の構成（例えば、図５、図６、図９に示したような構成）を有する場合であっても、以下に説明する動作は、基本的に同様である。
【００８５】
［メタデータ作成サーバの構成］
次に、図１０は、メタデータ作成サーバ６の構成を示すブロック図である。ＣＰＵ（Central Processing Unit）２０１は、ＲＯＭ（Read Only Memory）２０２に記憶されているプログラム、または記憶部２０８からＲＡＭ（Random Access Memory）２０３にロードされたプログラムに従って、各種の処理を実行する。ＲＡＭ２０３にはまた、ＣＰＵ２０１が各種の処理を実行するうえにおいて必要なデータなども適宜記憶される。
【００８６】
ＣＰＵ２０１、ＲＯＭ２０２、およびＲＡＭ２０３は、バス２０４を介して相互に接続されている。このバス２０４にはまた、入出力インタフェース２０５も接続されている。入出力インタフェース２０５には、キーボード、マウスなどよりなる入力部２０６、ディスプレイやスピーカなどよりなる出力部２０７、ハードディスクなどより構成される記憶部２０８、モデム、ターミナルアダプタなどより構成される通信部２０９が接続されている。通信部２０９は、インターネット５を含むネットワークを介しての通信処理を行う。
【００８７】
入出力インタフェース２０５にはまた、必要に応じてドライブ２１０が接続され、磁気ディスク２２１、光ディスク２２２、光磁気ディスク２２３、もしくは、半導体メモリ２２４などが適宜装着され、それらから読み出されたコンピュータプログラムが、必要に応じて記憶部２０８にインストールされる。
【００８８】
図１１は、メタデータを作成する処理を実行する、図１０を用いて説明したメタデータ作成サーバ６の機能（ＣＰＵ２０１が実行するプログラムによって実現される機能を含む）について説明するための機能ブロック図である。
【００８９】
放送データ取得部２４１は、図１０の通信部２０９に対応し、インターネット５を介して、または、図示しないアンテナを介して、放送データを取得して、デコーダ２４２に供給する。デコーダ２４２は、供給された放送データをデコードする。ここで、デコーダ２４２は、放送データのうち、メタデータの作成に必要となる番組ＩＤ情報を含む番組管理情報や表示選択字幕データが含まれている映像信号のみをデコードすればよい。
【００９０】
番組ＩＤ情報抽出部２４３は、デコーダ２４２によりデコードされた映像データに含まれる番組管理情報から、放送番組（ここでも、「番組」とは、例えば、２時間ドラマなどのプログラムの全体であっても、１つのプログラムがコマーシャルなどで区切られている場合の区切られた１単位ごとでも、複数のプログラムを含むものであっても、更に、コマーシャルを含むものやコマーシャルのみを示すものであっても良い）を固有に区別可能な番組ＩＤ情報を抽出し、メタデータ生成部２４４に供給するとともに、供給された映像データを表示選択字幕データデコーダ２４５に供給する。
【００９１】
なお、映像データに番組管理情報が含まれていない場合、番組ＩＤ情報抽出部２４３は、図示しないタイマから時刻情報を取得し（または、タイマ２４８から時刻情報を取得することができるようにして）、取得した時刻情報から、番組ＩＤ情報を生成することができるようにしても良い。
【００９２】
表示選択字幕データデコーダ２４５は、取得した映像データに含まれる表示選択字幕データをデコードして、対応するテキストデータを表示選択字幕データ解析部２４６に供給する。表示選択字幕データ解析部２４６は、表示選択字幕データデコーダ２４５から供給された、表示選択字幕データに対応するテキストデータを、適切な長さのテキスト群に分割（例えば、一度に表示されるテキストを１つのテキスト群として分割）し、分割されたテキスト群をタイムコード対応付け処理部２４７に供給する。
【００９３】
タイムコード対応付け処理部２４７は、タイマ２４８を参照して、供給されたテキスト群のそれぞれに対して、テキストの開始位置および終了位置に対応するタイムコードを対応付ける処理を実行する。タイムコード対応付け処理部２４７は、放送データ取得部２４１が、ユーザが放送データを取得する場合と同様に、リアルタイムで（すなわち、番組の放送時刻に）放送信号を取得した場合、タイマ２４８が示す現在時刻に基づいて、タイムコードをテキストデータに対応付けるものとする。
【００９４】
また、タイムコード対応付け処理部２４７は、放送データ取得部２４１が、番組の放送時刻から遅れて放送信号を取得した場合、または、デコーダ２４２乃至表示選択字幕データ解析部２４６の処理にかかる時間が、一般的なテレビジョン受像機を用いた放送信号の出力処理と比較して長くなってしまう場合、タイマ２４８が示す現在時刻と放送信号の取得の遅延時間、または、処理にかかる時間による遅延時間に基づいて、番組の放送時刻に対応するタイムコードを算出し、テキストデータに対応付けるものとする。
【００９５】
メタデータ生成部２４４は、タイムコード対応付け処理部２４７から供給されたタイムコードが対応付けられたテキストデータに、番組ＩＤ情報抽出部２４３から供給された番組ＩＤ情報を対応付けてメタデータを生成し、暗号化処理部２４９に供給する。
【００９６】
図１２を用いて、メタデータについて説明する。
【００９７】
表示選択字幕データ解析部２４６により、適切な長さのテキスト群であるテキスト１、テキスト２、・・・に分割されたテキストデータ２６５に対して、タイムコード対応付け処理部２４７において、それぞれのテキスト群の開始時刻と終了時刻が記載されたタイムコード２６６が対応付けられる。例えば、テキスト１として、“「７時のニュースです」「今日の初めの話題は、・・・」”の部分のテキストが分割された場合、番組の放送において、この部分の表示選択字幕が表示される時刻に対応する開始時刻および終了時刻が、タイムコード２６６に記載される。そして、更に、番組ＩＤ情報抽出部２４３から供給された番組ＩＤ情報２６７が対応付けられて、メタデータ２６１が生成される。
【００９８】
図１１の説明に戻る。暗号化処理部２４９は、メタデータ作成部２４４から供給されたメタデータを、暗号鍵記憶部２５０に予め記憶されている、番組ＩＤに対応する暗号鍵で暗号化し、メタデータ記憶部２５１に供給する。メタデータ供給制御部２５２は、通信部２５３から供給されるメタデータを要求する信号に基づいて、ユーザが所望する番組に対応する暗号化されたメタデータをメタデータ記憶部２５１から検索して、ユーザが保有するクレードル２、もしくは、図示しないパーソナルコンピュータ、または、ＰＤＡなどに、インターネット５を介して供給する。
【００９９】
ページ情報記憶部２５５は、例えば、ダウンロード可能なメタデータの一覧や、メタデータを利用するために必要な復号鍵の取得方法など、ユーザ（クレードル２）にメタデータをダウンロードさせて利用させるために必要な情報を提供するためのウェブページに対応する情報を記憶している。ウェブページ公開処理部２５４は、ページ情報記憶部２５５に記憶されているウェブページをインターネット５に公開する。
【０１００】
通信部２５３は、図１０の通信部２０９に対応するものであり、インターネット５を介して、ユーザが保有するクレードル２や携帯電話機３、もしくは、図示しないパーソナルコンピュータやＰＤＡなどと情報を授受するものである。
【０１０１】
［認証サーバの構成］
次に、図１３は、認証サーバ７の構成を示すブロック図である。ＣＰＵ（Central Processing Unit）２７１は、ＲＯＭ（Read Only Memory）２７２に記憶されているプログラム、または記憶部２７８からＲＡＭ（Random Access Memory）２７３にロードされたプログラムに従って、各種の処理を実行する。
【０１０２】
ＲＡＭ２７３にはまた、ＣＰＵ２７１が各種の処理を実行するうえにおいて必要なデータなども適宜記憶される。ＣＰＵ２７１、ＲＯＭ２７２、およびＲＡＭ２７３は、バス２７４を介して相互に接続されている。このバス２７４にはまた、入出力インタフェース２７５も接続されている。
【０１０３】
入出力インタフェース２７５には、キーボード、マウスなどよりなる入力部２７６、ディスプレイやスピーカなどよりなる出力部２７７、ハードディスクなどより構成される記憶部２７８、モデム、ターミナルアダプタなどより構成される通信部２７９が接続されている。通信部２７９は、インターネット５を含むネットワークを介しての通信処理を行う。
【０１０４】
入出力インタフェース２７５にはまた、必要に応じてドライブ２８０が接続され、磁気ディスク２２１、光ディスク２２２、光磁気ディスク２２３、もしくは、半導体メモリ２２４などが適宜装着され、それらから読み出されたコンピュータプログラムが、必要に応じて記憶部２７８にインストールされる。
【０１０５】
次に、図１４は、認証処理および課金処理を実行する、図１３の認証サーバ７の機能（ＣＰＵ２７１が実行するプログラムによって実現される機能を含む）について説明するための機能ブロック図である。
【０１０６】
ページ情報記憶部３０２は、例えば、ユーザ登録用のユーザ情報および課金情報の入力、メタデータを利用するために必要な復号鍵の取得方法、復号鍵の購入要求の送信など、ユーザがダウンロードしたメタデータを復号するために必要な復号鍵を提供し、その課金を行うためのウェブページに対応する情報を記憶している。ウェブページ公開処理部３０１は、ページ情報記憶部３０２に記憶されているウェブページをインターネット５に公開する。
【０１０７】
通信部３０３は、図１３の通信部２７９に対応するものであり、インターネット５を介して、ユーザが保有するクレードル２、もしくは、図示しないパーソナルコンピュータまたは、ＰＤＡなどと情報を授受するものである。
【０１０８】
操作入力情報取得部３０４は、通信部３０３を介して、ユーザが送信した操作入力情報を取得し、操作入力情報が、ウェブページの操作に関するものである場合は、ウェブページ公開処理部３０１に、ユーザ登録のための個人情報である場合は、ユーザ情報登録処理部３０５に、認証処理に必要な情報である場合は、認証処理部３０７に、鍵の購入を要求する情報である場合は、鍵供給処理部３０８に、課金処理に関する情報であるときは、課金処理部３１０に、操作入力情報を、それぞれ供給する。
【０１０９】
ユーザ情報登録処理部３０５は、操作入力情報取得部３０４から、ユーザ登録のための個人情報の供給を受けて、ユーザ情報データベース３０６に個人情報を供給する。ユーザ情報データベース３０６は、ユーザ登録のための個人情報であるユーザ登録情報を記憶する。認証処理部３０７は、新たに登録されたユーザに対して、ユーザを固有に区別可能なユーザＩＤを発行し、ユーザ情報データベース３０６に登録するとともに、発行したユーザＩＤを、通信部３０３を介して、ユーザが保有するクレードル２や携帯電話機３、もしくは、図示しないパーソナルコンピュータやＰＤＡなどに送出する。また、認証処理部３０７は、操作入力情報取得部３０４から、認証処理に必要な情報の供給を受け、ユーザ情報データベース３０６に登録されているユーザ情報を参照して認証処理を実行し、認証処理結果を鍵供給処理部３０８に出力する。
【０１１０】
鍵供給処理部３０８は、操作入力情報取得部３０４から、鍵の購入を要求する情報の供給を受け、認証処理部３０７からユーザの認証処理が正しく終了したことを示す認証結果の入力を受けた場合、復号鍵記憶部３０９から対応する復号鍵を読み込んで、通信部３０３を介して、ユーザが保有するクレードル２や携帯電話機３、もしくは、図示しないパーソナルコンピュータやＰＤＡなどに供給するとともに、課金処理部３１０に、鍵の供給に関する情報を出力する。
【０１１１】
復号鍵記憶部３０９は、番組ＩＤごとに、暗号化されたメタデータを復号するための復号鍵を保存している。すなわち、復号鍵記憶部３０９は、図１１を用いて説明した、暗号鍵記憶部２５０に予め記憶されている、暗号化処理部２４９がメタデータを暗号化する場合に用いられる番組ＩＤごとの暗号鍵に対応する復号鍵を保存している。
【０１１２】
課金処理部３１０は、操作入力情報取得部３０４および鍵供給処理部３０８から供給された課金に関する情報を基に、課金処理を行い、課金に必要な情報を課金情報データベース３１１に登録したり、ユーザ情報データベース３０６および課金情報データベース３１１に登録されている内容を基に、ユーザに対する供給された復号鍵の対価の決済処理や、放送局１に対する表示選択字幕の提供の対価の支払い処理などを実行する。課金情報データベース３１１には、課金処理のために必要な情報が登録される。
【０１１３】
［録画予約に関する処理について］
次に、図１に示した情報処理システムにおいて行われる、所定の番組の録画予約に係わる処理について、図１５のフローチャートを参照して説明する。録画予約は、携帯電話機３により録画する番組が設定され、その設定された番組の情報を、クレードル２が取得することにより行われる。
【０１１４】
ステップＳ１１において、携帯電話機３は、ＥＰＧを取得する。ＥＰＧは、図示していない所定のサーバから提供され、そのサーバにアクセスすることにより取得される。ＥＰＧが取得されると、その取得されたＥＰＧに基づく番組表がユーザに提供される。
【０１１５】
例えば、図８に示した携帯電話機３の構成を参照するに、録画指示部１０９は、操作部１０５を介してユーザからＥＰＧの取得の指示が出されると、入出力部１０６を制御し、所定のサーバにアクセスさせ、ＥＰＧのデータを取得する。入出力部１０６により取得されたＥＰＧデータは、録画指示部１０９に提供される。録画指示部１０９は、提供されたＥＰＧデータに基づく番組表を作成し、表示部１０４に表示させる。
【０１１６】
このようにして表示部１０４に表示された番組表を閲覧し、ユーザは、録画したい番組を設定する。その設定は、操作部１０５を介して入力されるユーザからの指示に基づき行われる。録画するとして設定された番組の情報（以下、適宜、録画番組情報と記述する）は、ステップＳ１２において、録画指示部１０９で取得される。ステップＳ１３において、設定された番組の情報を電子メールでクレードル２に供給するか否かが判断される。
【０１１７】
ユーザは、例えば、クレードル２に対して直接指示が出せる状態のときには、後述するように赤外線による無線通信により、携帯電話機３からクレードル２に対して録画番組情報が供給するが、外出先などでクレードル２に対して直接指示が出せない状態のときには、電子メールにて、携帯電話機３からクレードル２に対して録画番組情報を供給する。なお、ここでは、直接的にクレードル２に対して指示が出せないときには、電子メールで録画番組情報が送信されるとして説明するが、電子メール以外の通信手段により送信されることも可能である。
【０１１８】
ステップＳ１３において、電子メールにて録画番組情報を送信するとの指示が出されたと判断された場合、ステップＳ１４に処理が進められる。ステップＳ１４において、録画番組情報を含む電子メールが作成される。そして、作成された電子メールは、ステップＳ１５において、電話網４（図１）を介して基地局８に対して送信される。
【０１１９】
基地局８に対して送信された電子メールは、基地局８にて保存される。クレードル２は、所定の時間が経過する毎に基地局８にアクセスし、自己宛の電子メール（携帯電話機３から送信された電子メール）が保存されていないか否かをチェックする（ポーリング機能）。携帯電話機３からの録画番組情報は、基地局８を介してクレードル２に対して供給される。勿論、録画番組情報は、基地局８に一旦保存されるのではなく、基地局８に達した時点で、基地局８からクレードル２に対して送信（転送）されるようにしても良い。
【０１２０】
図１５のフローチャートの処理の説明に戻り、ステップＳ１３において、録画番組情報は、電子メールでは送信しないと判断された場合、すなわち、録画番組情報は、赤外線でクレードル２に対して送信すると判断された場合、ステップＳ１６に処理が進められる。ステップＳ１６において、録画番組情報に関するデータが作成される。そして、ステップＳ１７において、作成されたデータに対して、赤外線で送信するための所定の方式の変調処理などが施されることにより、作成データが、携帯電話機３からクレードル２に対して送信される。
【０１２１】
このようにして、クレードル２に対して直接指示が出せるときには、赤外線などの無線通信により、録画番組情報が供給される。勿論、有線などによりクレードル２と携帯電話機３が接続された状態のとき（図３Ａに示したような状態のとき）に、録画番組情報が供給されるようにしても良い。
【０１２２】
また、ここでは、携帯電話機３により録画番組情報が設定され、クレードル２側に供給されるとしたが、パーソナルコンピュータやＰＤＡなどの図示していない装置で録画番組情報が設定され、クレードル２に供給されるようにしても良い。
【０１２３】
［録画データ作成処理について］
クレードル２は、録画番組情報が設定されることにより、その設定された番組を録画（記録）するわけだが、その録画に係わる処理（録画データの作成の処理）について、図１６のフローチャートを参照して説明する。図１６に示したフローチャートの処理は、録画番組情報に基づき、録画する番組が放送されているときに行われる。
【０１２４】
ステップＳ２１において、番組ＩＤ情報抽出部６１（図４）は、チューナ５２により選局され、映像信号デコーダ５３によりデコードされ、メモリ５４に保持されているデコードされた映像データに含まれる番組管理情報から、録画される番組を個別に識別可能な番組ＩＤ情報を抽出して、録画データ生成部５５に供給する。
【０１２５】
ステップＳ２２において、録画データ生成部５５は、タイマ６２を参照して、メモリ５４から供給された映像データに、録画開始時刻情報９５を対応付ける。
【０１２６】
ステップＳ２３において、録画データ生成部５５は、録画開始時刻情報９５が対応付けられた映像データに、更に、番組ＩＤを関連付け、図５を用いて説明した録画用の出力データを生成する。
【０１２７】
このような処理により、番組ＩＤおよび録画開始時刻情報９５が対応付けられた録画データが生成される。
【０１２８】
なお、映像データに番組管理情報が含まれていない場合、番組ＩＤ情報抽出部６１は、録画データ生成部５５を介して、タイマ６２から時刻情報を取得し、取得した時刻情報から、番組ＩＤ情報を生成することができるようにしても良い。
【０１２９】
［メタデータの作成について］
次に、図１７のフローチャートを参照して、図１０および図１１を用いて説明したメタデータ作成サーバ６が実行するメタデータ作成処理について説明する。
【０１３０】
ステップＳ４１において、放送データ取得部２４１は、番組放送信号（少なくとも、映像信号）の入力を受け、デコーダ２４２に供給する。デコーダ２４２は、供給された映像信号をデコードして、番組ＩＤ情報抽出部２４３に供給する。
【０１３１】
ステップＳ４２において、番組ＩＤ情報抽出部２４３は、供給された映像データに含まれる番組管理情報から、番組を認識するための番組固有の情報である番組ＩＤを抽出し、番組ＩＤをメタデータ生成部２４４に供給するとともに、デコードされた映像データを、表示選択字幕データデコーダ２４５に供給する。
【０１３２】
ステップＳ４３において、表示選択字幕データデコーダ２４５は、供給された映像データから表示選択字幕データを抽出してデコードし、表示選択字幕データ解析部２４６に供給する。
【０１３３】
ステップＳ４４において、表示選択字幕データ解析部２４６は、表示選択字幕データに対応するテキストデータを解析し、所定の長さ（例えば、表示が選択された場合に一度に表示される所定の文字数や、ユーザが所定の時間で読解することが可能な程度の長さ）のテキスト群に分解して、タイムコード対応付け処理部２４７に供給する。
【０１３４】
ステップＳ４５において、タイムコード対応付け処理部２４７は、供給されたテキスト群に対して、開始時刻と終了時刻のタイムコードをそれぞれ対応付け、メタデータ生成部２４４に供給する。
【０１３５】
ステップＳ４６において、メタデータ生成部２４４は、タイムコード対応付け処理部２４７から供給されたタイムコード付のテキストデータ群に、番組ＩＤ情報抽出部２４３から供給された番組ＩＤを対応付けて、図１２を用いて説明したメタデータ２６１を作成して、暗号化処理部２４９に供給する。
【０１３６】
ステップＳ４７において、暗号化処理部２４９は、供給されたメタデータ２６１を、暗号鍵記憶部２５０に記憶されている、番組ＩＤに対応する鍵を用いて暗号化し、メタデータ記憶部２５１に供給する。
【０１３７】
ステップＳ４８において、メタデータ記憶部２５１は、暗号化されたメタデータ２６１を記憶して、処理が終了される。
【０１３８】
このような処理により、表示選択字幕データに対応するテキストデータ２６５、テキストデータに対応するタイムコード２６６、および、番組ＩＤ２６７により構成されるメタデータ２６１が生成され、暗号化されて記憶される。暗号化されて記憶されたメタデータ２６１は、後述する処理により、ユーザが保有するクレードル２にダウンロードされる。
【０１３９】
なお、図１７の処理においても、映像データに番組管理情報が含まれていない場合、番組ＩＤ情報抽出部２４３は、時刻情報を取得して、番組ＩＤ情報を生成することができるようにしても良い。
【０１４０】
［ユーザ登録について］
次に、図１８のフローチャートを参照して、図１３および図１４を用いて説明した認証サーバ７が実行するユーザ登録処理について説明する。
【０１４１】
ステップＳ６１において、ウェブページ公開処理部３０１は、ページ情報記憶部３０２に記憶されているユーザ登録のためのウェブページを、インターネット５に公開する。
【０１４２】
ステップＳ６２において、操作入力情報取得部３０４は、ユーザが保有するクレードル２や携帯電話機３、もしくは、図示しないパーソナルコンピュータやＰＤＡなどから、通信部３０３を介して、ユーザ登録要求を受けたか否かを判断する。ステップＳ６２において、ユーザ登録要求を受けていないと判断された場合、処理は、ステップＳ６１に戻り、それ以降の処理が繰り返される。
【０１４３】
ステップＳ６２において、ユーザ登録要求を受けたと判断された場合、操作入力情報取得部３０４は、ユーザ登録要求を受けたことをウェブページ公開処理部３０１に通知するので、ステップＳ６３において、ウェブページ公開処理部３０１は、ユーザ登録画面に対応するデータを、通信部３０３およびインターネット５を介して送出する。
【０１４４】
ステップＳ６４において、操作入力情報取得部３０４は、例えば、決済方法などの課金方法に関する情報や、ユーザの氏名やメールアドレスなどの個人情報を含む、ユーザ登録情報の供給を受け、ユーザ情報登録処理部３０５に供給する。
【０１４５】
ステップＳ６５において、ユーザ情報登録処理部３０５は、ユーザ情報データベース３０６にユーザ登録情報を供給して記憶させる。ユーザ情報データベース３０６は供給されたユーザ登録情報を記憶する。
【０１４６】
ステップＳ６６において、認証処理部３０７は、新たに登録されたユーザに対して、ユーザを固有に区別可能なユーザＩＤを発行し、ユーザ情報データベース３０６に登録するとともに、発行したユーザＩＤを、通信部３０３およびインターネット５を介して送出して、処理が終了される。
【０１４７】
このような処理により、認証サーバ７にユーザ登録情報が登録される。登録されたユーザ登録情報は、後述する復号鍵の供給時、および、課金処理時に利用される。
【０１４８】
［メタデータの供給について］
次に、図１９のフローチャートを参照して、図１０および図１１を用いて説明したメタデータ作成サーバ６が実行するメタデータ供給処理について説明する。
【０１４９】
ステップＳ８１において、ウェブページ公開処理部２５４は、ページ情報記憶部２５５に記憶されている、ユーザがメタデータを要求するためのウェブページを、インターネット５に公開する。
【０１５０】
ステップＳ８２において、メタデータ供給制御部２５２は、通信部２５３を介して、ユーザが保有するクレードル２や携帯電話機３、もしくは、図示しないパーソナルコンピュータやＰＤＡなどから、所定の番組ＩＤにより区別される番組に対応するメタデータを要求する操作入力を示す信号の入力を受けたか否かを判断する。ステップＳ８２において、メタデータを要求する操作入力を示す信号の入力を受けていないと判断された場合、処理は、ステップＳ８１に戻り、それ以降の処理が繰り返される。
【０１５１】
ステップＳ８２において、メタデータを要求する操作入力を示す信号の入力を受けたと判断された場合、ステップＳ８３において、メタデータ供給制御部２５２は、要求された番組に対応する暗号化されたメタデータを、メタデータ記憶部２５１から読み出して、通信部２５３およびインターネット５を介して、要求を出してきた装置に対して送出し、処理が終了される。
【０１５２】
このような処理により、暗号化されたメタデータが、ユーザ側の装置（例えば、クレードル２）に送出される。送出されたメタデータは、クレードル２に記憶され、後述する処理により復号されて、検索処理に用いられる。
【０１５３】
［復号鍵の供給について］
次に、図２０のフローチャートを参照して、図１３および図１４を用いて説明した認証サーバ７が実行する復号鍵供給制御処理について説明する。
【０１５４】
ステップＳ１０１において、ウェブページ公開処理部３０１は、ページ情報記憶部３０２に記憶されているメタデータを復号するための復号鍵の購入要求を受けるためのウェブページを、インターネット５に公開する。
【０１５５】
ステップＳ１０２において、操作入力情報取得部３０４は、ユーザが保有する装置（例えば、クレードル２）から、通信部３０３を介して、復号鍵を要求する操作入力を受けたか否かを判断する。ステップＳ１０２において、復号鍵を要求する操作入力を受けていないと判断された場合、処理は、ステップＳ１０１に戻り、それ以降の処理が繰り返される。
【０１５６】
ステップＳ１０２において、復号鍵を要求する操作入力を受けたと判断された場合、操作入力情報取得部３０４は、復号鍵を要求する操作入力を受けたことを認証処理部３０７に通知するので、ステップＳ１０３において、認証処理部３０７は、例えば、通信部３０３を介して要求を出してきた装置に対して、ユーザＩＤの送出を要求して、ユーザ情報データベース３０６に登録されているユーザＩＤを照会することなどにより、認証処理を実行する。
【０１５７】
ステップＳ１０４において、鍵供給処理部３０８は、認証処理部３０７から供給される認証処理の結果を基に、復号鍵を要求する操作入力を実行したユーザが、正しく認証されたか否かを判断する。
【０１５８】
ステップＳ１０４において、正しく認証されたと判断された場合、ステップＳ１０５において、鍵供給処理部３０８は、課金処理部３１０を制御して、ユーザから入力された情報、もしくは、ユーザ情報データベース３０６または課金情報データベース３１１に登録されている情報を基に、決済処理を実行させる。決済処理には、例えば、クレジットカード決済、電子マネー決済などがある。課金処理部３１０は、一般的なこれらの決済方法を用いて、決済処理を実行する。
【０１５９】
ステップＳ１０６において、鍵供給処理部３０８は、課金処理部３１０から供給される信号を基に、正しく決済が終了したか否かを判断する。
【０１６０】
ステップＳ１０６において、正しく決済が終了したと判断された場合、ステップＳ１０７において、鍵供給処理部３０８は、操作入力情報取得部３０４から供給される、ユーザからの復号鍵の要求を示す信号から、要求された復号鍵に対応するメタデータの番組ＩＤを取得する。
【０１６１】
ステップＳ１０８において、鍵供給処理部３０８は、番組ＩＤに対応する復号鍵を復号鍵記憶部３０９から読み出し、通信部３０３およびインターネット５を介して、ユーザ側に送信する。ステップＳ１０９において、課金処理部３１０は、ユーザが選択した決済方法、金額、または、決済結果などを、課金情報データベース３１１に登録する。課金情報データベース３１１は、登録された課金情報を記憶して、処理が終了される。
【０１６２】
ステップＳ１０４において、正しく認証されなかったと判断された場合、または、ステップＳ１０６において、正しく決済が終了しなかったと判断された場合、ステップＳ１１０において、認証処理部３０７または課金処理部３１０は、通信部３０３およびインターネット５を介して、ユーザ側に、処理が正しく終了しなかったことをユーザに通知するためのエラーメッセージを出力して、処理が終了される。
【０１６３】
このような処理により、メタデータを復号するための復号鍵が、ユーザにより購入されて、ユーザが保有するクレードル２に送信される。この復号鍵は、後述する処理により、メタデータの復号に用いられる。また、この復号鍵の購入によりユーザから得られた対価のうちの少なくとも一部は、表示選択字幕データを作成した放送局１に支払われるので、表示選択字幕が付加された番組の割合が増えることが予測され、聴覚障害者がより多くの番組を楽しむことができるようになる。
【０１６４】
なお、図２０においては、ユーザが復号鍵を購入するときの課金のための決済処理が、１トランザクションごとに実行されるものとして説明したが、ユーザが復号鍵を購入するにあたっての課金の方法は、例えば、月額や年額、または、固定料金制などの、いずれの方法であっても良い。
【０１６５】
［課金処理について］
ここで、ステップＳ１０５において実行される決済処理（課金処理）について、図２１のフローチャートを参照して説明する。
【０１６６】
ステップＳ１３１において、課金処理部３１０は、課金情報データベース３１１に登録されている情報を参照して、復号鍵を購入したユーザの課金情報を生成する。具体的には、課金処理部３１０は、課金情報データベース３１１に登録されている情報を参照して、ユーザ別に、決算を行う金融機関（例えば、クレジットカード会社、電子マネーのサービス提供元など）ごとに、復号鍵の購入により発生した代金を集計して、課金情報を生成する。
【０１６７】
ステップＳ１３２において、課金処理部２１０は、所定の金融機関などに対する課金処理を実行する。具体的には、課金処理部２１０は、例えば、カード会社などの金融機関が保有する、決済処理を実行する図示しない課金サーバに、インターネット５、または、所定の専用線を介してアクセスし、ステップＳ１３１において生成されたユーザの課金情報を送信する。
【０１６８】
ステップＳ１３３において、課金処理部３１０は、課金情報データベース３１１に登録されている情報を参照して、番組ごとの表示選択字幕データに対応するメタデータを復号するための復号鍵の供給数を算出する。
【０１６９】
ステップＳ１３４において、課金処理部３１０は、ステップＳ１３３の算出結果に基づいて、放送局１ごとに、提供された表示選択字幕データに対応するメタデータを復号するための復号鍵の供給数を算出する。
【０１７０】
ステップＳ１３５において、課金処理部３１０は、ステップＳ１３４の算出結果に基づいて、放送局ごとの支払い金額を算出する。具体的には、課金処理部３１０は、ユーザから得られた復号鍵の対価から、認証サーバ７を保有するサービス提供者が得る利益（放送局１と認証サーバ７を保有するサービス提供者との契約により決められるものであり、所定の金額であっても、復号鍵の対価のうちの何割かであっても良い）を引いた金額を算出し、放送局ごとの支払い金額とする。
【０１７１】
ステップＳ１３６において、課金処理部３１０は、ステップＳ１３５の処理によって算出された支払い金額を基に、それぞれの放送局へ対価を支払う処理を実行し、処理が終了される。具体的には、課金処理部３１０は、放送局１により指定された金融機関（例えば、銀行など）が保有する図示しない課金サーバに、インターネット５、または、所定の専用線を介してアクセスし、ステップＳ１３５において算出された支払い金額を、指定された口座に振り込むために必要な情報を送信する。
【０１７２】
このような処理により、メタデータの復号に用いられる復号鍵の配布に対する対価の課金処理を行うことができる。また、この復号鍵の購入によりユーザから得られた対価のうちの少なくとも一部は、表示選択字幕データを作成した放送局１に支払われるので、表示選択字幕が付加された番組の割合が増えることが予測され、聴覚障害者がより多くの番組を楽しむことができるようになる。
【０１７３】
［メタデータの記憶について］
次に、図２２のフローチャートを参照して、ユーザが保有するクレードル２において実行される、メタデータ記憶処理について説明する。
【０１７４】
ステップＳ１５１において、メタデータ取得処理が実行される。なお、メタデータ取得処理は、ここでは、ステップＳ１５１において実行されるものとしているが、後述するステップＳ１５８が実行される前であれば、いかなるタイミングで実行されても良い。
【０１７５】
録画データ記憶部５７には、予めユーザの指示により録画する番組が設定してあり、その設定されている番組は、その番組の放送時間に合わせて、録画データ記憶部５７に記憶される。そのような録画データの作成と記憶に係わる処理が行われる一方で、メタデータの取得の処理も行われる。すなわち、ネットワークインターフェース６３は、まず、インターネット５において公開されているウェブページにアクセスする。
【０１７６】
ネットワークインターフェース６３は、録画が設定されている番組の番組ＩＤを送信し、その番組ＩＤと同一のＩＤを有するメタデータ２６１（図１２）を取得する。このとき受信されるメタデータは、暗号化されたメタデータである。受信された暗号化されているメタデータは、暗号化メタデータ記憶部６４に供給され、記憶される。
【０１７７】
このような処理により、暗号化されたメタデータがメタデータ作成サーバ６からダウンロードされる。
【０１７８】
ステップＳ１５２において、ネットワークインターフェース６３は、インターネット５において公開されている、ユーザがメタデータを復号するための復号鍵の購入を要求するためのウェブページにアクセスする。そして、番組ＩＤで指定される、暗号化されたメタデータを復号するための復号鍵の購入を要求する信号を、インターネット５を介して、認証サーバ７に送信する。
【０１７９】
ネットワークインターフェース６３は、認証サーバ７から、クレードル２に認証処理に必要な情報を送信させるためのコマンドを受信する。そのコマンドに対応し、クレードル２のネットワークインターフェース６３は、ステップＳ１５３において、認証処理に必要な情報を、インターネット５を介して、認証サーバ７に送信する。
【０１８０】
認証処理に必要な情報とは、例えば、ユーザＩＤなどである。ユーザＩＤは、例えば、ユーザ登録がされた時点でクレードル２に記憶され、その記憶されたユーザＩＤが送信されるようにしても良い。
【０１８１】
ステップＳ１５４において、ネットワークインターフェース６３は、認証サーバ７から供給される信号を基に、正しく認証されたか否かを判断する。ステップＳ１５４において、正しく認証されたと判断された場合、ネットワークインターフェース６３は、認証サーバ７に決済処理に必要な情報が送信される。この決済処理に必要な処理とは、例えば、決済方法の指定や、決済のための金融機関などとの契約において設定されているユーザＩＤやパスワードなどである。
【０１８２】
これらの情報も、予めクレードル２に保持されており、その保持されている情報が読み出されて送信される。または、この場合、携帯電話機３が用いられて録画予約が行われるため、例えば、携帯料金として請求される仕組みを設けても良い。また、この実施の形態の場合、録画予約などの処理は携帯電話機３が用いられて行われるため、その携帯電話機３の電話番号が、パスワードとして用いられるようにしても良い。
【０１８３】
ネットワークインターフェース６３は、決済処理に必要な情報を、インターネット５を介して、認証サーバ７に送信する。
【０１８４】
ステップＳ１５６において、ネットワークインターフェース６３は、認証サーバ７から供給される信号を基に、正しく決済が終了したか否かを判断する。ステップＳ１５６において、正しく決済が終了したと判断された場合、ステップＳ１５７において、ネットワークインターフェース６３は、指定された番組ＩＤに対応する復号鍵を、インターネット５を介して、認証サーバ７から受信し、復号鍵記憶部６５に供給する。
【０１８５】
ステップＳ１５８において、復号鍵記憶部６５は、供給された復号鍵を番組ＩＤに対応付けて記憶する。ステップＳ１５９において、復号処理部６６は、復号鍵記憶部６５に記憶された復号鍵を用いて、暗号化メタデータ記憶部６４に記憶されている暗号化されたメタデータを復号して、メタデータ記憶部６７に供給する。
【０１８６】
ステップＳ１６０において、メタデータ記憶部６７は、復号済みのメタデータを記憶して、処理が終了される。
【０１８７】
一方、ステップＳ１５４において、正しく認証されなかったと判断された場合、または、ステップＳ１５６において、正しく決済が終了しなかったと判断された場合、ステップＳ１６１において、ネットワークインターフェース６３は、インターネット５を介して、認証サーバ７から、処理が正しく終了されなかったことを示すエラーメッセージを受信する。この受信されたエラーメッセージは、例えば、クレードル２に携帯電話機３が装着されたときに、携帯電話機３に供給され、携帯電話機３の表示部１０４（図８）に表示されることにより、ユーザに通知される。
【０１８８】
このような処理により、暗号化されたメタデータがメタデータ作成サーバ６からダウンロードされ、メタデータを復号するための復号鍵の購入のための処理が実行されて、認証サーバ７から復号鍵が取得されるので、この復号鍵を用いてメタデータが復号される。
【０１８９】
［サムネイル画像の生成について］
次に、図２３のフローチャートを参照して、クレードル２において実行されるサムネイル生成処理について説明する。
【０１９０】
ステップＳ１８１において、サムネイル生成部６８は、メタデータ記憶部６７に記憶されているメタデータ２６１を取得する。ステップＳ１８２において、サムネイル生成部６８は、ステップＳ１８１において取得したメタデータ２６１の番組ＩＤ情報２６７に対応する録画データを、録画データ記憶部５７から検索して取得する。
【０１９１】
ステップＳ１８３において、サムネイル生成部６８は、取得したメタデータ２６１のタイムコード２６６に含まれるそれぞれのテキストの開始時刻を基に、例えば、開始時刻に対応する時刻、もしくは、開始時刻に対して、所定の時間だけ前または後の所定の時刻の映像を、録画データから１フレームずつ抽出して、サムネイル画像とする。
【０１９２】
ステップＳ１８４において、サムネイル生成部６８は、ステップＳ１８３において生成されたサムネイル画像に、タイムコード２６６およびテキストデータ２６５に記載されている、対応するタイムコードおよびテキストデータを関連付けて、サムネイルデータとする。
【０１９３】
ステップＳ１８５において、サムネイル生成部６８は、ステップＳ１８４において生成されたサムネイルデータを基に、番組ＩＤ情報２６７（図１２）で固有に区別可能なサムネイルデータファイルを生成する。すなわち、サムネイル生成部６８は、タイムコード２６６を構成するテキスト群と同一の数のサムネイルデータを、サムネイル画像、タイムコード、テキストデータによって構成し、これらのサムネイルデータに番組ＩＤ情報２６７を付与して、サムネイルデータファイルとする。
【０１９４】
ステップＳ１８６において、サムネイル生成部６８は、生成されたサムネイルデータファイルを、作成データとして作成データ記憶部６９に出力して記憶させて、処理が終了される。
【０１９５】
このような処理により、画像、テキスト、タイムコードが関連付けられたサムネイルデータが生成され、同一の番組のサムネイルデータ群により、サムネイルデータファイル（作成データ）が生成される。
【０１９６】
［作成データの供給について］
このような処理により作成され、作成データ記憶部６９（図４）に記憶された作成データを、携帯電話機３側に供給する際のクレードル２の処理について、図２４のフローチャートを参照して説明する。
【０１９７】
ステップＳ２０１において、クレードル２の出力データ制御部７０は、携帯電話機３が装着されたか否かを判断する。この判断は、例えば、携帯電話機３が装着されたときに導通するような物理的なスイッチ（不図示）を設け、そのスイッチからの信号を出力データ制御部７０が受信することにより行われるようにしても良いし、出力データ制御部７０が、携帯電話機３と通信を行える状態になったか否かを監視するようにし、その監視結果に応じて行われるようにしても良い。
【０１９８】
ステップＳ２０１において、携帯電話機３が装着されたと判断されるまで、作成データの供給の処理は待機状態とされ、携帯電話機３が装着されたと判断されると、ステップＳ２０２に処理が進められる。ステップＳ２０２において、作成データ記憶部６９に作成データが記憶されているか否かが判断される。
【０１９９】
ステップＳ２０２において、作成データ記憶部６９に作成データが記憶されていると判断された場合、ステップＳ２０３に処理が進められる。ステップＳ２０３において、出力データ制御部７０は、作成データ記憶部６９から作成データを読み出し、接続（装着）されている携帯電話機３に対して出力する。
【０２００】
携帯電話機３に対して供給（出力）された作成データは、作成データ記憶部６９から削除される。
【０２０１】
一方、ステップＳ２０２において、作成データ記憶部６９には作成データは記憶されていないと判断された場合、携帯電話機３に供給する作成データがないので、作成データの供給の処理は終了される。
【０２０２】
このように、クレードル２で作成され、記憶されていた作成データが、携帯電話機３に対して供給される。
【０２０３】
［作成データに基づく表示に係わる処理］
次に、携帯電話機３において行われる作成データに基づく処理（サムネイル画像とテキストの表示に係わる処理）について、図２５乃至図２８のフローチャートを参照して説明する。
【０２０４】
ステップＳ２２１において、携帯電話機３の操作入力部１０５は、ユーザから、サムネイル画面とテキスト（または、どちらか一方）の表示を希望する番組を指定する入力を受け、ステップＳ２２２において、サムネイル画面の表示スタイルを選択する入力を受け、それらの入力を表示選択字幕データデコーダ１０３に供給する。
【０２０５】
ステップＳ２２３において、表示選択字幕データデコーダ１０３は表示スタイルとして、自動更新表示が選択されたか否かを判断する。表示スタイルとして、ここでは３通りのスタイルがあるとして説明する。詳細は後述するが、その３通りの表示スタイルとは、ユーザの手を煩わすことなく、自動的にサムネイル画像と対応するテキストが更新される“自動更新表示”、ユーザの指示によりサムネイル画像と対応するテキストが更新される“手動更新表示”、および、テキストだけが表示され、ユーザの指示があったときだけサムネイル画像が表示される“テキスト表示”である。
【０２０６】
ステップＳ２２３において、自動更新表示が指示されたと判断された場合、ステップＳ２２４に処理が進められ、表示処理１（自動更新表示の処理）が開始される。ステップＳ２２４で行われる表示処理１については、図２６のフローチャートを参照して後述し、先に図２５のフローチャートの処理について説明を続ける。
【０２０７】
一方、ステップＳ２２３において、自動更新表示は指示されていないと判断された場合、ステップＳ２２５に処理が進められ、手動更新表示が指示されたか否かが判断される。ステップＳ２２５において、手動更新表示が指示されたと判断された場合、ステップＳ２２６に処理が進められ、表示処理２（手動更新表示の処理）が開始される。ステップＳ２２６において行われる表示処理２については、図２７のフローチャートを参照して後述する。
【０２０８】
一方、ステップＳ２２５において、手動更新表示は指示されていないと判断された場合、ステップＳ２２７に処理が進められる。この場合、テキスト表示が指示されたと判断されたことになるので、ステップＳ２２７において、表示処理３（テキスト表示の処理）が開始される。ステップＳ２２７において行われる表示処理３については、図２８のフローチャートを参照して後述する。
【０２０９】
図２６のフローチャートを参照し、表示処理１、すなわち、自動更新表示に係わる処理について説明する。ステップＳ２４１において、表示選択字幕データデコーダ１０３は、ユーザにより再生が指示された番組のサムネイル画像データと、そのサムネイル画像に対応するテキストデータを、作成データ記憶部１０１から読み出す。
【０２１０】
表示選択字幕データデコーダ１０３は、作成データ記憶部１０１に記憶されている作成データのうち、ユーザにより選択された番組に対応する作成データを読み出し、その読み出した作成データのうちのサムネイル画面データからサムネイル画像を生成し、テキストデータからテキストを生成し、その生成したサムネイル画像とテキストを、表示部１０４に表示させる。
【０２１１】
このようにして表示部１０４に表示される画面の一例を、図２９に示す。図２９に示したように、表示部１０４には、１枚のサムネイル画像と、そのサムネイル画像に対応するテキストが表示されている。図２９に示した例は、図１２に示したメタデータ２６１に基づき作成された作成データが選択されたときの画面であり、“テキスト１”が、テキストとして表示されている。そして、その“テキスト１”に対応するタイムコード２６６が参照されることにより生成されたサムネイル画像が表示されている。
【０２１２】
表示選択字幕データデコーダ１０３は、表示部１０４に、サムネイル画像とそのサムネイル画像に対応するテキストを表示させると、ステップＳ２４２において、所定の時間が経過したか否かを判断する。この所定の時間とは、ユーザが表示部１０４に表示されているテキストの全てを読み終える、平均的な時間とされる。ステップＳ２４２において、所定の時間が経過したと判断されるまで、表示部１０４の画面は更新されることなく維持され、所定の時間が経過したと判断されると、ステップＳ２４３に処理が進められる。
【０２１３】
ステップＳ２４３において、その時点で表示部１０４に表示されているサムネイル画像とテキストに対し、次のサムネイル画像とテキストに、表示部１０４の表示が切り替えられる。例えば、図１２に示したメタデータ２６１を参照するに、“テキスト１”とその“テキスト１”に対応するサムネイル画像が表示されているときに、所定の時間が経過すると、“テキスト２”とその“テキスト２”に対応するサムネイル画像に、表示部１０４の表示が切り替えられる。切り替えられた後の表示部１０４の画面の一例を、図３０に示す。
【０２１４】
このようにして、自動更新表示が選択された場合、ユーザの手を煩わすことなく、順次、サムネイル画像と、テキストが、所定の時間毎に更新される。図２６に示した自動更新表示に係わる処理は、ユーザにより作成データの表示（番組の再生）の停止が指示されたときに、割込処理として終了される。すなわち、表示選択字幕データデコーダ１０３は、操作部１０５を介して入力されるユーザからの指示が、番組再生の停止を指示していると判断した場合、作成データ記憶部１０１からの作成データの読み出しを停止し、表示部１０４を、番組の再生を開始する前の表示（例えば、時計の表示）などに切り替えて、番組再生の処理を終了する。
【０２１５】
なお、ステップＳ２４２における“所定の時間”は、ユーザにより設定される仕組みを設けても良い。
【０２１６】
次に、図２７のフローチャートを参照し、ステップＳ２２６（図２５）において行われる表示処理２、すなわち手動更新表示に係わる処理について説明する。ユーザの操作により表示部１０４の表示が切り替えられるようにした場合、ステップＳ２６２における処理が異なるだけで、基本的な処理は、図２６のフローチャートを参照した自動更新表示に係わる処理と同様であるので、ステップＳ２６１とステップＳ２６３の処理の詳細については、その説明を省略する。
【０２１７】
ステップＳ２６１において、ユーザに指示された番組のサムネイル画像とそのサムネイル画像に対応するテキストが表示されると、ステップＳ２６２において、ユーザからの更新の指示があったか否かが判断される。表示選択字幕データデコーダ１０３は、ステップＳ２６２において、操作部１０５を介して入力されたユーザからの指示が、サムネイル画像の更新（テキストの更新）を指示するものであると判断した場合、ステップＳ２６３に処理が進められる。
【０２１８】
ステップＳ２６３において、次のサムネイル画像とそのサムネイル画像に対応するテキストが、表示部１０４に表示される。
【０２１９】
このように、ユーザの指示があったときに、サムネイル画像やテキストが更新される。例えば、図２９に示した画面が表示部１０４に表示されている状態のときに、ユーザが、更新を指示する所定の操作を操作部１０５に対して行うと、図３０に示したような画面に表示が切り替えられる。このようにすることで、ユーザの所望のタイミングで更新できるため、例えば、ユーザは、興味のあるサムネイル画像やテキストはゆっくりと閲覧し、興味のないサムネイル画像やテキストは先送りすることが可能となる。
【０２２０】
次に、ステップＳ２２７において行われる表示処理３、すなわち、テキスト表示に係わる処理について、図２８のフローチャートを参照して説明する。ステップＳ２８１において、指示された番組のテキストが表示される。この場合、表示選択字幕データデコーダ１０３は、ユーザにより再生が指示された番組に対応する作成データを作成データ記憶部１０から読み出す。そして、読み出された作成データのうち、テキストデータだけが抽出され、その抽出されたテキストデータに基づくテキストが、表示部１０４に表示される。
【０２２１】
このステップＳ２８１における処理が実行されることにより、例えば、図３１に示したような画面が、表示部１０４に表示される。図３１に示したように、表示部１０４には、テキストのみが表示される。このように、テキストだけを表示するのは、携帯電話機３などの比較的小さな表示領域しか有さない装置においては、ユーザの使い勝手を良くする点などにおいて有効な手段であるといえる。
【０２２２】
図２８のフローチャートの説明に戻り、ステップＳ２８１において、表示部１０４にテキストが表示されると、ステップＳ２８２において、サムネイル画像の表示の指示があったか否かが判断される。図３１を再度参照するに、表示部１０４には、テキストとそのテキストのうちの１つのテキスト（文）上に、カーソル３５１も表示されている。このカーソル３５１が位置するテキストは、他のテキストと区別がつくように、図３１に示した例では、白黒が反転された状態で表示される。
【０２２３】
ユーザは、このカーソル３５１を上下方向に、操作部１０５を操作することにより移動させることができるように構成されており、カーソル３５１を上下方向に移動させることにより、その時点では表示部１０４に表示されきれていないテキストを表示させることができるように構成されている（スクロール機能）。また、決定を示す操作がされたとき、カーソル３５１が位置するテキストに関連付けられているサムネイル画像に、表示部１０４の表示が切り替えられるように構成されている。
【０２２４】
そこで、ステップＳ２８２において、表示選択字幕データデコーダ１０３は、操作部１０５が操作されることにより入力された情報は、サムネイル画像の表示の指示を示すものであるか否かを判断する。ステップＳ２８２において、入力された情報は、サムネイル画像の表示を指示するものであったと判断された場合、ステップＳ２８３に処理が進められ、指示されたサムネイル画像が、表示部１０４に表示される。例えば、図３１に示した画面が表示されている状態のときに、ユーザによりサムネイル画像の表示が指示された場合、表示部１０４の表示は、図３２に示したようなサムネイル画像の表示に切り替えられる。
【０２２５】
表示選択字幕データデコーダ１０３は、入力された情報が、サムネイル画像の表示を指示するものであると判断した場合、カーソル３５１が位置するテキストを判断し、そのテキストに関連付けられているサムネイル画像のサムネイルデータを、作成データ記憶部１０１から読み出し、その読み出したサムネイルデータに基づく画像を作成し、表示部１０４に表示させることにより、ステップＳ２８３における処理を実行する。
【０２２６】
このようにして、サムネイル画像が表示部１０４に表示されると、ステップＳ２８４において、テキストの表示に戻る指示が出されたか否かが判断される。例えば、図３２に示したように、表示部１０４にサムネイル画像が表示されている状態のときに、図３１に示したような表示部１０４にテキストが表示されている状態に戻るように指示が出されたか否かが判断される。
【０２２７】
そして、ステップＳ２８４において、テキストの表示に戻る指示が出されたと判断されるまで、サムネイル画像の表示の状態が維持され、テキストの表示に戻る指示が出されたと判断された場合、ステップＳ２８５に処理が進められる。ステップＳ２８５への処理には、ステップＳ２８２において、サムネイル画像の表示の指示はないと判断されたときにもくる。
【０２２８】
ステップＳ２８５において、表示選択字幕データデコーダ１０３は、次のテキストの指示があったか否か（スクロールの指示があったか否か）を判断する。ステップ２８５において、スクロールの指示があったと判断されるまで、ステップＳ２８５における処理が繰り返される。すなわち、その時点で表示部１０４に表示されているテキストが、そのまま表示されている状態が維持される。
【０２２９】
一方、ステップＳ２８５において、スクロールの指示が出されたと判断された場合、ステップＳ２８６において、その時点で表示されているテキストに対して次のテキスト（カーソル３５１が操作された方向に位置するテキスト）の表示が行われる。このような処理は、ユーザから停止の指示が出されたときに、割込処理として停止される。
【０２３０】
なお、ここでは、テキストは、ユーザの指示があったときに更新されるとして説明したが、表示処理１のように、自動的に更新されるようにしても勿論良い。
【０２３１】
このような処理が繰り返されることによりユーザは、テキストから番組の内容を把握することができ、かつ、興味をもったテキスト（内容）のサムネイル画像のみを閲覧することが可能となる。
【０２３２】
このように、テキストを表示させ、指示があったときに、サムネイル画像を表示させるという仕組みを設ける場合、サムネイル画像の名前（ファイル名）自体をテキストにしてしまうことも可能である。図３３を参照してこのことについて説明する。なお、図３３では、サムネイル画像は、ＪＰＥＧファイル（拡張子はｊｐｇである）として記憶されるとして説明する。
【０２３３】
図３３に示したように、作成データは、例えば、“「７時のニュースです。」．ｊｐｇ”、“「今日の初めの話題は、車椅子についてです。」．ｊｐｇ”といったファイルから構成されている。すなわち、作成データには、“「７時のニュースです。」”というファイル名が設定されたｊｐｇのファイルが含まれている。同様に、“「今日の初めの話題は、車椅子についてです。」”というファイル名が設定されたｊｐｇのファイルが含まれている。
【０２３４】
このファイル名は、図１２に示したメタデータ２６１を参照するに、テキストデータ２６５を構成するテキストである。このように、テキストデータ２６５を構成するテキスト毎に、そのテキスト自体がファイル名として設定され、その設定されたテキストに対応するサムネイル画像が、ファイルの実態として関連付けられ、作成データ内に管理される。
【０２３５】
このような作成データの、ファイル名の部分のみをタイムコード２６６順に表示させれば、図３１に示したような、テキストから構成される画面を表示部１０４に表示させることが可能である。
【０２３６】
また、既に説明したように、テキストのみが表示されている画面から、ユーザが所望したサムネイル画像の画面に切り替える場合、このように、“ファイル名＝テキスト”と設定されていれば、単に、選択されたファイル名（テキスト）に対応するＪＰＥＧファイルを読み出してくれば良く、その処理を実行するための新たなプログラムを構築しなくてはならないといったようなことを避ける（プログラムを作成する作業工数を減らす）ことができる。すなわち、所定の記録媒体から所定の情報を読み出すといった、一般的に行われている処理を行えば良く、特別なプログラムを用意する（例えば、アプレットなどのプログラムを開発する）必要はない。
【０２３７】
そのために、安価に上記したような処理を実現することが可能となる。また、テキストからサムネイル画像を表示させるといった一連の処理に係る時間を短縮することが可能となる。
【０２３８】
上記したように、本発明によれば、テレビジョン放送の番組をサムネイル画像データとテキストデータに変換することができる。すなわち、テレビジョン放送の番組は映像データと音声データから構成されているが、本発明によれば、その映像データはサムネイル画像データに変換し、音声データはテキストデータ（映像データに含まれる字幕データから作成される）に変換することができる。さらに換言するならば、本発明は、動画像と音声とから構成される番組を静止画像とテキストから構成される番組に変換することができる。
【０２３９】
このように変換されたサムネイル画像データとテキストデータから構成される作成データ（サムネイル画像データファイル）は、放送された番組をそのまま記録する際の記録容量よりも小さい容量であるため、携帯可能な装置で、比較的容量の小さい記録媒体しか装着できないような装置においても、複数の番組や長時間の番組を閲覧することが可能となる。
【０２４０】
このように、本発明によれば、動画像と音声とから構成されるデータを、静止画像とテキストから構成されるデータに圧縮することができる。圧縮されることにより、より多くの番組のデータを、小さな容量の記録媒体に記録することができるようになる。
【０２４１】
また、テレビジョン放送の番組のように、動画像を閲覧するときには、例えば、１時間の番組を閲覧するには１時間の時間が必要とされるが、本発明のように、サムネイル画像とテキストとに変換された番組を閲覧するには、１時間の時間は必要ないと考えられる。すなわち、本発明が適用されたクレードル２や携帯電話機３を用いることで、ユーザは、短い時間で、番組の内容を把握できるようになる。また、携帯可能な装置を用いることにより、その番組の閲覧は、場所による限定を受けないものとすることができる。
【０２４２】
なお、上記した実施の形態においては、携帯電話機３を例にあげて説明したが、携帯電話機３の代わりに、ＰＤＡ、ノート型パーソナルコンピュータ、腕時計など、携帯可能な装置を用いる事も可能であり、それらの機器を用いたときも、各装置で行われる処理は、上記した場合と同様に行うことが可能である。
【０２４３】
［記録媒体について］
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２４４】
この記録媒体は、図１０または図１３に示すように、コンピュータとは別に、ユーザにプログラムを提供するために配布される、プログラムが記録されている磁気ディスク２２１（フレキシブルディスクを含む）、光ディスク２２２（CD-ROM（Compact Disc-Read Only Memory），ＤＶＤ（Digital Versatile Disc）を含む）、光磁気ディスク２２３（ＭＤ（Mini-Disc)（商標）を含む）、もしくは半導体メモリ２２４などよりなるパッケージメディアなどにより構成される。
【０２４５】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２４６】
なお、本明細書において、システムとは、複数の装置により構成される装置全体を表すものである。
【０２４７】
また、本明細書において、複数の装置により構成されるシステムの一部、または、全部が実行する処理が、同一の情報処理装置の処理によって実現される場合であっても、または、本明細書において、１つの装置が実行する処理が、複数の情報処理装置の処理によって実現される場合であっても、本発明は適用可能であることは言うまでもない。
【図面の簡単な説明】
【０２４８】
【図１】本発明を適用した情報処理システムの一実施の形態の構成について説明するための図である。
【図２】放送局から放送される放送信号について説明するための図である。
【図３】クレードルから携帯電話機へのデータの移動について説明するための図である。
【図４】クレードルの内部構成例を示す図である。
【図５】表示選択字幕デコーダによって生成される録画データについて説明するための図である。
【図６】クレードルの他の内部構成例を示す図である。
【図７】クレードルの更に他の内部構成例を示す図である。
【図８】携帯電話機の内部構成例を示す図である。
【図９】携帯電話機の他の内部構成例を示す図である。
【図１０】メタデータ作成サーバの構成について説明するためのブロック図である。
【図１１】メタデータ作成サーバが実行する処理について説明するための機能ブロック図である。
【図１２】メタデータ作成サーバにより作成されるメタデータについて説明するためのブロック図である。
【図１３】認証サーバの構成について説明するためのブロック図である。
【図１４】認証サーバが実行する処理について説明するための機能ブロック図である。
【図１５】録画予約について説明するためのフローチャートである
【図１６】録画データ作成処理について説明するためのフローチャートである。
【図１７】メタデータ作成処理について説明するためのフローチャートである。
【図１８】ユーザ登録処理ついて説明するためのフローチャートである。
【図１９】メタデータ供給処理について説明するためのフローチャートである。
【図２０】復号鍵供給制御処理について説明するためのフローチャートである。
【図２１】課金処理について説明するためのフローチャートである。
【図２２】メタデータ記憶処理について説明するためのフローチャートである。
【図２３】サムネイル生成処理について説明するためのフローチャートである。
【図２４】作成データ供給処理について説明するためのフローチャートである。
【図２５】作成データに基づく処理について説明するためのフローチャートである。
【図２６】表示処理１について説明するためのフローチャートである。
【図２７】表示処理２について説明するためのフローチャートである。
【図２８】表示処理３について説明するためのフローチャートである。
【図２９】表示部に表示される画面の一例を示す図である。
【図３０】表示部に表示される画面の一例を示す図である。
【図３１】表示部に表示される画面の一例を示す図である。
【図３２】表示部に表示される画面の一例を示す図である。
【図３３】ファイル名について説明するための図である。
【符号の説明】
【０２４９】
１  放送局
２  クレードル
３  携帯電話機
４  電話網
５  インターネット
６  メタデータ作成サーバ
７  認証サーバ
８  基地局
１５  映像データ
１６  音声データ
１７  表示選択字幕データ
５１  入力端子
５２  チューナ
５３  映像信号デコーダ
５４  メモリ
５５  録画データ生成部
５６  録画制御部
５７  録画データ記憶部
５８  操作入力部
５９  電話網用入力部
６０  赤外線用入力部
６１  番組ＩＤ情報抽出部
６２  タイマ
６３  ネットワークインターフェース
６４  暗号化メタデータ記憶部
６５  復号鍵記憶部
６６  復号処理部
６７  メタデータ記憶部
６８  サムネイル生成部
６９  作成データ記憶部
７０  出力データ制御部
１０１  作成データ記憶部
１０２  入力データ制御部
１０３  表示選択字幕データデコーダ
１０４  表示部
１０５  操作部
１０６  入出力部
１０７  電話網用入出力部
１０８  赤外線用入出力部
１０９  録画指示部
【図１】
2006253960.tif 000003
【図２】
2006253960.tif 000004
【図３】
2006253960.tif 000005
【図４】
2006253960.tif 000006
【図５】
2006253960.tif 000007
【図６】
2006253960.tif 000008
【図７】
2006253960.tif 000009
【図８】
2006253960.tif 000010
【図９】
2006253960.tif 000011
【図１０】
2006253960.tif 000012
【図１１】
2006253960.tif 000013
【図１２】
2006253960.tif 000014
【図１３】
2006253960.tif 000015
【図１４】
2006253960.tif 000016
【図１５】
2006253960.tif 000017
【図１６】
2006253960.tif 000018
【図１７】
2006253960.tif 000019
【図１８】
2006253960.tif 000020
【図１９】
2006253960.tif 000021
【図２０】
2006253960.tif 000022
【図２１】
2006253960.tif 000023
【図２２】
2006253960.tif 000024
【図２３】
2006253960.tif 000025
【図２４】
2006253960.tif 000026
【図２５】
2006253960.tif 000027
【図２６】
2006253960.tif 000028
【図２７】
2006253960.tif 000029
【図２８】
2006253960.tif 000030
【図２９】
2006253960.tif 000031
【図３０】
2006253960.tif 000032
【図３１】
2006253960.tif 000033
【図３２】
2006253960.tif 000034
【図３３】
2006253960.tif 000035
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
テレビジョン放送を受信する受信手段と、
前記受信手段により受信される動画像と音声とから構成されるデータを管理する管理手段と、
テキストデータと、そのテキストデータに対応する時刻情報を少なくとも含むメタデータを、インターネットを介して取得する取得手段と、
前記取得手段により取得されるメタデータを記憶するメタデータ記憶手段と、
前記管理手段で管理されている前記データと、前記メタデータ記憶手段に記憶されているメタデータから静止画像を生成する静止画像生成手段と、
前記静止画像生成手段により生成された前記静止画像と、前記テキストデータを、前記メタデータを参照して関連付ける関連付け手段と、
前記関連付け手段により関連付けられた前記静止画像と前記テキストデータを少なくとも含むデータを携帯機器に供給する供給手段と
を備えることを特徴とする情報処理装置。
【請求項２】
前記供給手段は、記憶媒体を介して前記携帯機器にデータを供給する
ことを特徴とする請求項１に記載の情報処理装置。
【請求項３】
テレビジョン放送を受信する受信ステップと、
前記受信ステップにより受信される動画像と音声とから構成されるデータを管理する管理ステップと、
テキストデータと、そのテキストデータに対応する時刻情報を少なくとも含むメタデータを、インターネットを介して取得する取得ステップと、
前記取得ステップにより取得されるメタデータの記憶を制御するメタデータ記憶制御ステップと、
前記管理ステップの処理で管理されている前記データと、前記メタデータ記憶制御ステップの処理で記憶が制御されたメタデータから静止画像を生成する静止画像生成ステップと、
前記静止画像生成ステップの処理で生成された前記静止画像と、前記テキストデータを、前記メタデータを参照して関連付ける関連付けステップと、
前記関連付けステップの処理で関連付けられた前記静止画像と前記テキストデータを少なくとも含むデータを携帯機器に供給するための制御を行う供給制御ステップと
を含むことを特徴とする情報処理方法。
【請求項４】
テレビジョン放送を受信する受信ステップと、
前記受信ステップにより受信される動画像と音声とから構成されるデータを管理する管理ステップと、
テキストデータと、そのテキストデータに対応する時刻情報を少なくとも含むメタデータを、インターネットを介して取得する取得ステップと、
前記取得ステップにより取得されるメタデータの記憶を制御するメタデータ記憶制御ステップと、
前記管理ステップの処理で管理されている前記データと、前記メタデータ記憶制御ステップの処理で記憶が制御されたメタデータから静止画像を生成する静止画像生成ステップと、
前記静止画像生成ステップの処理で生成された前記静止画像と、前記テキストデータを、前記メタデータを参照して関連付ける関連付けステップと、
前記関連付けステップの処理で関連付けられた前記静止画像と前記テキストデータを少なくとも含むデータを携帯機器に供給するための制御を行う供給制御ステップと
を含む処理をコンピュータに実行させることを特徴とするプログラム。
【請求項５】
請求項１に記載の情報処理装置に接続される携帯機器であって、
前記情報処理装置より供給されたデータを記憶する記憶手段と、
ユーザの操作入力を受け付ける操作入力手段と、
前記操作入力手段により入力された前記ユーザの操作入力に応じて、前記記憶手段に記憶されているデータに基づく静止画像またはテキストのうちの少なくとも一方の表示を制御する表示制御手段と
を備えることを特徴とする携帯機器。
【請求項６】
携帯電話機である
ことを特徴とする請求項５に記載の携帯機器。
【請求項７】
前記表示制御手段は、表示を制御している前記静止画像または前記テキストを、所定の時間が経過する毎に更新する、または、ユーザの指示がある毎に更新する
ことを特徴とする請求項５に記載の携帯機器。
【請求項８】
前記表示制御手段は、前記テキストのみを表示させる制御を行い、その制御により表示されているテキストから、ユーザが所定のテキストを選択した場合、その選択されたテキストに対応する静止画像に表示を切り替える制御を行う
ことを特徴とする請求項５に記載の携帯機器。
【請求項９】
前記静止画像データは、その静止画像データに関連付けられている前記テキストデータが示すテキストがファイル名として設定されている
ことを特徴とする請求項５に記載の携帯機器。
【請求項１０】
前記表示制御手段は、前記ファイル名のみを表示させる制御を行い、その制御により表示されているファイル名から、ユーザが所定のファイル名を選択した場合、その選択されたファイル名が設定されている静止画像に表示を切り替える制御を行う
ことを特徴とする請求項９に記載の携帯機器。
【請求項１１】
請求項１に記載の情報処理装置に接続される携帯機器が行う情報処理方法であって、
前記情報処理装置より供給されたデータの記憶を制御する記憶制御ステップと、
ユーザの操作入力を受け付ける操作入力ステップと、
前記操作入力ステップの処理で入力された前記ユーザの操作入力に応じて、前記記憶制御ステップの処理で記憶が制御されたデータに基づく静止画像またはテキストのうちの少なくとも一方の表示を制御する表示制御ステップと
を含むことを特徴とする情報処理方法。
【請求項１２】
請求項１に記載の情報処理装置に接続される携帯機器が処理するプログラムであって、
前記情報処理装置より供給されたデータの記憶を制御する記憶制御ステップと、
ユーザの操作入力を受け付ける操作入力ステップと、
前記操作入力ステップの処理で入力された前記ユーザの操作入力に応じて、前記記憶制御ステップの処理で記憶が制御されたデータに基づく静止画像またはテキストのうちの少なくとも一方の表示を制御する表示制御ステップと
を含む処理をコンピュータに実行させることを特徴とするプログラム。
【手続補正３】
【補正対象書類名】明細書
【補正対象項目名】０００１
【補正方法】変更
【補正の内容】
【０００１】
本発明は、情報処理装置、携帯機器、情報処理方法、およびプログラムに関し、特に、放送信号に含まれている字幕情報を用いて、テレビジョン放送の複数の番組を、携帯可能な装置で持ち運び、その装置で閲覧する際に適用して好適な情報処理装置、携帯機器、情報処理方法、およびプログラムに関する。
【手続補正４】
【補正対象書類名】明細書
【補正対象項目名】００１５
【補正方法】変更
【補正の内容】
【００１５】
本発明の情報処理装置は、テレビジョン放送を受信する受信手段と、受信手段により受信される動画像と音声とから構成されるデータを管理する管理手段と、テキストデータと、そのテキストデータに対応する時刻情報を少なくとも含むメタデータを、インターネットを介して取得する取得手段と、取得手段により取得されるメタデータを記憶するメタデータ記憶手段と、管理手段で管理されているデータと、メタデータ記憶手段に記憶されているメタデータから静止画像を生成する静止画像生成手段と、静止画像生成手段により生成された静止画像と、テキストデータを、メタデータを参照して関連付ける関連付け手段と、関連付け手段により関連付けられた静止画像とテキストデータを少なくとも含むデータを携帯機器に供給する供給手段とを備えることを特徴とする。
前記供給手段は、記憶媒体を介して前記携帯機器にデータを供給することができる。
【手続補正５】
【補正対象書類名】明細書
【補正対象項目名】００１６
【補正方法】変更
【補正の内容】
【００１６】
本発明の第１の情報処理方法は、テレビジョン放送を受信する受信ステップと、受信ステップにより受信される動画像と音声とから構成されるデータを管理する管理ステップと、テキストデータと、そのテキストデータに対応する時刻情報を少なくとも含むメタデータを、インターネットを介して取得する取得ステップと、取得ステップにより取得されるメタデータの記憶を制御するメタデータ記憶制御ステップと、管理ステップの処理で管理されているデータと、メタデータ記憶制御ステップの処理で記憶が制御されたメタデータから静止画像を生成する静止画像生成ステップと、静止画像生成ステップの処理で生成された静止画像と、テキストデータを、メタデータを参照して関連付ける関連付けステップと、関連付けステップの処理で関連付けられた静止画像とテキストデータを少なくとも含むデータを携帯機器に供給するための制御を行う供給制御ステップとを含むことを特徴とする。
【手続補正６】
【補正対象書類名】明細書
【補正対象項目名】００１７
【補正方法】変更
【補正の内容】
【００１７】
本発明の第１のプログラムは、テレビジョン放送を受信する受信ステップと、受信ステップにより受信される動画像と音声とから構成されるデータを管理する管理ステップと、テキストデータと、そのテキストデータに対応する時刻情報を少なくとも含むメタデータを、インターネットを介して取得する取得ステップと、取得ステップにより取得されるメタデータの記憶を制御するメタデータ記憶制御ステップと、管理ステップの処理で管理されているデータと、メタデータ記憶制御ステップの処理で記憶が制御されたメタデータから静止画像を生成する静止画像生成ステップと、静止画像生成ステップの処理で生成された静止画像と、テキストデータを、メタデータを参照して関連付ける関連付けステップと、関連付けステップの処理で関連付けられた静止画像とテキストデータを少なくとも含むデータを携帯機器に供給するための制御を行う供給制御ステップとを含む処理をコンピュータに実行させることを特徴とする。
【手続補正７】
【補正対象書類名】明細書
【補正対象項目名】００１８
【補正方法】変更
【補正の内容】
【００１８】
本発明の携帯機器は、前記情報処理装置に接続される携帯機器であって、情報処理装置より供給されたデータを記憶する記憶手段と、ユーザの操作入力を受け付ける操作入力手段と、操作入力手段により入力されたユーザの操作入力に応じて、記憶手段に記憶されているデータに基づく静止画像またはテキストのうちの少なくとも一方の表示を制御する表示制御手段とを備えることを特徴とする。
【手続補正８】
【補正対象書類名】明細書
【補正対象項目名】００１９
【補正方法】変更
【補正の内容】
【００１９】
前記携帯機器は、携帯電話機にすることができる。
【手続補正９】
【補正対象書類名】明細書
【補正対象項目名】００２４
【補正方法】変更
【補正の内容】
【００２４】
本発明の第２の情報処理方法は、前記情報処理装置に接続される携帯機器が行う情報処理方法であって、情報処理装置より供給されたデータの記憶を制御する記憶制御ステップと、ユーザの操作入力を受け付ける操作入力ステップと、操作入力ステップの処理で入力されたユーザの操作入力に応じて、記憶制御ステップの処理で記憶が制御されたデータに基づく静止画像またはテキストのうちの少なくとも一方の表示を制御する表示制御ステップとを含むことを特徴とする。
【手続補正１０】
【補正対象書類名】明細書
【補正対象項目名】００２５
【補正方法】変更
【補正の内容】
【００２５】
本発明の第２のプログラムは、前記情報処理装置に接続される携帯機器が処理するプログラムであって、情報処理装置より供給されたデータの記憶を制御する記憶制御ステップと、ユーザの操作入力を受け付ける操作入力ステップと、操作入力ステップの処理で入力されたユーザの操作入力に応じて、記憶制御ステップの処理で記憶が制御されたデータに基づく静止画像またはテキストのうちの少なくとも一方の表示を制御する表示制御ステップとを含む処理をコンピュータに実行させることを特徴とする。
【手続補正１１】
【補正対象書類名】明細書
【補正対象項目名】００２６
【補正方法】変更
【補正の内容】
【００２６】
本発明の情報処理装置および第１の情報処理方法、並びに第１のプログラムにおいては、動画像と音声とから構成されるデータと、テキストデータと、そのテキストデータに対応する時刻情報を少なくとも含むメタデータを参照されて静止画像が生成され、その静止画像が、テキストデータと関連付けられる。
【手続補正１２】
【補正対象書類名】明細書
【補正対象項目名】００２７
【補正方法】変更
【補正の内容】
【００２７】
本発明の携帯機器および第２の情報処理方法、並びに第２のプログラムにおいては、動画像と音声とから構成されるデータと、テキストデータとそのテキストデータに対応する時刻情報を少なくとも含むメタデータから生成された静止画像データと、その静止画像に関連付けられたテキストデータを少なくとも含むデータに基づく表示が行われる。
【手続補正１３】
【補正対象書類名】明細書
【補正対象項目名】００３３
【補正方法】変更
【補正の内容】
【００３３】
本発明の情報処理装置は、例えば、図４のクレードル２である。情報処理装置は、テレビジョン放送を受信する受信手段（例えば、図４のチューナ５２）と、受信手段により受信される動画像と音声とから構成されるデータを管理する管理手段（例えば、図４の録画データ記憶部５７）と、テキストデータと、そのテキストデータに対応する時刻情報を少なくとも含むメタデータを、インターネットを介して取得する取得手段（例えば、図４のネットワークインターフェース６３）と、取得手段により取得されるメタデータを記憶するメタデータ記憶手段（例えば、図４のメタデータ記憶部６７）と、管理手段で管理されているデータと、メタデータ記憶手段に記憶されているメタデータから静止画像を生成する静止画像生成手段（例えば、図４のサムネイル生成部６８）と、静止画像生成手段により生成された静止画像と、テキストデータを、メタデータを参照して関連付ける関連付け手段（例えば、図４の作成データ記憶部６９）と、関連付け手段により関連付けられた静止画像とテキストデータを少なくとも含むデータを携帯機器（例えば、図８の携帯電話機３）に供給する供給手段（例えば、図４の出力データ制御部７０）とを備える。
【手続補正１４】
【補正対象書類名】明細書
【補正対象項目名】００３４
【補正方法】変更
【補正の内容】
【００３４】
本発明の携帯機器は、例えば、図８の携帯電話機３である。携帯機器は、情報処理装置（例えば、図４のクレードル２）に装着可能な携帯機器であって、情報処理装置より供給されたデータを記憶する記憶手段（例えば、図８の作成データ記憶部１０１）と、ユーザの操作入力を受け付ける操作入力手段（例えば、図８の操作部１０５）と、操作入力手段により入力されたユーザの操作入力に応じて、記憶手段に記憶されているデータに基づく静止画像またはテキストのうちの少なくとも一方の表示を制御する表示制御手段（例えば、図８の表示選択字幕データデコーダ１０３）とを備える。